(57)【特許請求の範囲】
【請求項１】
ワイヤレス局によるワイヤレス通信のための方法であって、
送信機によって送信され、前記ワイヤレス局によって受信された第１の信号を処理することと、ここにおいて、前記第１の信号は、アクティベーション信号が受信されると予想されるターゲットウェイクアップ時間を示し、ここにおいて、前記送信機は、アクセスポイント（ＡＰ）、または前記ワイヤレス局と異なる局内の送信機である、
前記示されたターゲットウェイクアップ時間に基づいて第１の受信機をアウェイク状態に移行することと、
前記示されたターゲットウェイクアップ時間に前記第１の受信機によって前記送信機から前記アクティベーション信号を受信することと、
前記送信機から受信された前記アクティベーション信号に基づいて第２の受信機をアウェイク状態に移行することと、
前記第２の受信機によって第２の信号を受信することと
を備える、方法。
【請求項２】
前記第２の受信機を前記アウェイク状態に移行することは、規定された時間に発生する、請求項１に記載の方法。
【請求項３】
前記規定された時間は、ビーコンを受信するための次のターゲットビーコン通過時間に対応する、請求項２に記載の方法。
【請求項４】
前記アクティベーション信号が受信されたという肯定応答を送信することをさらに備える、請求項１に記載の方法。
【請求項５】
前記アクティベーション信号の送信者に省電力ポーリングフレームを送信することをさらに備える、請求項１に記載の方法。
【請求項６】
規定された時間において、前記アクティベーション信号の送信者に省電力ポーリングフレームを送信することをさらに備える、請求項１に記載の方法。
【請求項７】
前記第１の受信機は、前記アウェイク状態にある前記第２の受信機と比較して、前記アウェイク状態においてより少ない電力を消費する、請求項１に記載の方法。
【請求項８】
前記第１の受信機によってデアクティベート信号を受信することと、
前記第２の受信機をデアクティベートすることと
をさらに備える、請求項１に記載の方法。
【請求項９】
前記第１の信号は、アクセスポイント（ＡＰ）、または前記ワイヤレス局と異なる局によって送信される、
請求項１に記載の方法。
【請求項１０】
ワイヤレス通信のためのワイヤレス局であって、
送信機によって送信され、前記ワイヤレス局によって受信された第１の信号を処理するための手段と、ここにおいて、前記第１の信号は、アクティベーション信号が受信されると予想されるターゲットウェイクアップ時間を示し、前記送信機は、アクセスポイント（ＡＰ）、または前記ワイヤレス局と異なる局内の送信機である、
前記示されたターゲットウェイクアップ時間に基づいて第１の受信機をアウェイク状態に移行するための手段と、
前記示されたターゲットウェイクアップ時間に前記送信機から前記アクティベーション信号を受信するための手段と、
前記送信機から受信された前記アクティベーション信号に基づいて第２の受信機をアウェイク状態に移行するための手段と、
前記第２の受信機が前記アウェイク状態にある間に第２の信号を受信するための手段と
を備える、ワイヤレス局。
【請求項１１】
前記アクティベーション信号を受信するための前記手段は、第１の受信機を備え、前記第２の信号を受信するための前記手段は、第２の受信機を備え、前記第１の信号を処理するための前記手段は、プロセッサを備える、請求項１０に記載のワイヤレス局。
【請求項１２】
前記第１の受信機は、前記アウェイク状態にある前記第２の受信機と比較して、前記アウェイク状態においてより少ない電力を消費する、請求項１１に記載のワイヤレス局。
【請求項１３】
前記第２の受信機を前記アウェイク状態に移行するための前記手段は、規定された時間に前記第２の受信機を前記アウェイク状態へ移行するように構成される、請求項１０に記載のワイヤレス局。
【請求項１４】
前記規定された時間は、ビーコンを受信するための次のターゲットビーコン通過時間に対応する、請求項１３に記載のワイヤレス局。
【請求項１５】
前記アクティベーション信号が受信されたという肯定応答を送信するための手段をさらに備える、請求項１０に記載のワイヤレス局。
【請求項１６】
前記第１の信号は、アクセスポイント（ＡＰ）、または前記ワイヤレス局と異なる局によって送信される、
請求項１０に記載のワイヤレス局。
【請求項１７】
請求項１乃至９のいずれか１項に記載の方法を実行するための命令を備える、コンピュータプログラム。
【発明の詳細な説明】
【技術分野】
【０００１】
[0001]本出願は、全般にワイヤレス通信に関し、より詳細には、ワイヤレス受信機のための非常に短いページングメッセージを通信するためのシステムと、方法と、デバイスとに関する。
【背景技術】
【０００２】
[0002]多くの電気通信システムでは、通信ネットワークは、空間的に離れたいくつかのインタラクションしているデバイスの間でメッセージを交換するために使用される。ネットワークは、たとえば、メトロポリタンエリア、ローカルエリア、またはパーソナルエリアであり得る、地理的範囲に従って分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）と呼ばれる。ネットワークはまた、様々なネットワークノードとデバイスとを相互接続するために使用されるスイッチング／ルーティング技法（たとえば、回線交換対パケット交換）、送信のために利用される物理媒体のタイプ（たとえば、有線対ワイヤレス）、および使用される通信プロトコルのセット（たとえば、インターネットプロトコルスイート、ＳＯＮＥＴ（同期光ネットワーキング：Synchronous Optical Networking）、イーサネット（登録商標）など）によって異なる。
【０００３】
[0003]ワイヤレスネットワークは、ネットワーク要素がモバイルであり、したがって動的な接続性が必要であるときに、またはネットワークアーキテクチャが、固定されたものではなくアドホックなトポロジーで形成される場合に、好ましいことが多い。ワイヤレスネットワークは、無線、マイクロ波、赤外線、光などの周波数帯域中の電磁波を使用する非誘導伝搬モードでは、無形の物理媒体を利用する。ワイヤレスネットワークは、有利なことに、固定有線ネットワークと比較して、ユーザモビリティと迅速な現場配置とを容易にする。
【０００４】
[0004]ワイヤレスネットワーク中の受信機は、パケット受信の間に、またはパケットを受信するのを待機している間に、大量の電力を消費することがある。したがって、ワイヤレスネットワークにおいて通信するための改善されたシステム、方法、およびデバイスが望まれる。
【発明の概要】
【０００５】
[0005]本発明のシステム、方法、およびデバイスは、それぞれいくつかの態様を有し、それらのうちのいずれの単一の態様も単独では本発明の望ましい属性を担わない。以下の特許請求の範囲によって表される本発明の範囲を限定することなく、ここでいくつかの特徴が簡単に論じられる。この説明を考慮した後、特に「発明を実施するための形態」と題されるセクションを読んだ後で、本発明の特徴が、ワイヤレスネットワーク中のアクセスポイントと局との間の改善された通信を含む利点をどのように提供するかが理解されよう。
【０００６】
[0006]あるイノベーションでは、ワイヤレス通信のためのワイヤレス局は、局に送信される第１の信号を処理するように構成される処理回路を備え、第１の信号は、アクティベーション信号が受信されると予想されるターゲットウェイクアップ時間を示す。局はさらに、示されたターゲットウェイクアップ時間に基づいて第１の受信機をアウェイク状態に送信するように構成される、ウェイクアップ回路を含む。第１の受信機は、示されたターゲットウェイクアップ時間にアクティベーション信号を受信するように構成される。局は、第１の受信機がアクティベーション信号を受信したことに基づいてアウェイク状態に移行し、アウェイク状態の間に第２の信号を受信するように構成される、第２の受信機を含む。
【０００７】
[0007]別のイノベーションでは、局によるワイヤレス通信のための方法が考慮される。方法は、局に送信される第１の信号を処理することを含み、第１の信号は、アクティベーション信号が受信されると予想されるターゲットウェイクアップ時間を示す。方法はさらに、示されたターゲットウェイクアップ時間に基づいて第１の受信機をアウェイク状態に移行することを含む。方法はさらに、示されたターゲットウェイクアップ時間に第１の受信機によってアクティベーション信号を受信することを含む。方法はさらに、アクティベーション信号に基づいて第２の受信機をアウェイク状態に移行することを含む。方法はさらに、第２の受信機によって第２の信号を受信することを含む。
【０００８】
[0008]別のイノベーションでは、非一時的コンピュータ可読媒体は、実行されると、ワイヤレス局に、局へ送信される第１の信号を処理させるコードを備え、第１の信号は、アクティベーション信号が受信されると予想されるターゲットウェイクアップ時間を示す。コードはさらに、局に、示されたターゲットウェイクアップ時間に基づいて第１の受信機をアクティベートさせ、示されたターゲットウェイクアップ時間に第１の受信機によってアクティベーション信号を受信させる。コードはさらに、局に、アクティベーション信号に基づいて第２の受信機をアウェイク状態へ移行させ、第２の受信機によって第２の信号を受信させる。
【０００９】
[0009]別のイノベーションでは、ワイヤレス通信のためのワイヤレス局が考慮される。局は、局に送信される第１の信号を処理するための手段を含み、第１の信号は、アクティベーション信号が受信されると予想されるターゲットウェイクアップ時間を示す。局はさらに、示されたターゲットウェイクアップ時間に基づいて第１の受信機をアウェイク状態に移行するための手段を含む。局はさらに、示されたターゲットウェイクアップ時間にアクティベーション信号を受信するための手段を含む。局はさらに、アクティベーション信号に基づいて第２の受信機をアウェイク状態に移行するための手段と、第２の受信機がアウェイク状態にある間に第２の信号を受信するための手段とを含む。
【図面の簡単な説明】
【００１０】
【図１】本開示の態様が利用され得るワイヤレス通信システムの例を示す図。
【図２】図１のワイヤレス通信システム内で利用され得るワイヤレスデバイスの例のブロック図。
【図３Ａ】本発明のある実装形態による、低電力のウェイクアップ信号の例を示す図。
【図３Ｂ】本発明のある実装形態による、低電力のウェイクアップ信号の別の例を示す図。
【図４】媒体アクセス制御（ＭＡＣ）フレーム４００の構造の例を示す図。
【図５】媒体アクセス制御（ＭＡＣ）フレーム５００の構造の例を示す図。
【図６】図４および図５に示される媒体アクセス制御（ＭＡＣ）ヘッダのＭＡＣの構造の例を示す図。
【図７】ページングを確立するための処理の例を示す図。
【図８Ａ】後続の送信のためにプライマリ受信機をアクティベートするように、低電力受信機に対してウェイクアップページを使用する実装形態のために、アクセスポイントによって行われる処理の例を示す図。
【図８Ｂ】後続の送信のためにプライマリ受信機をアクティベートするように、低電力受信機に対してウェイクアップページを使用する実装形態のために、局によって行われる処理の例を示す図。
【図９】後続の送信のためにプライマリ受信機をアクティベートするように、低電力受信機に対してウェイクアップページを使用するワイヤレス通信の実装形態のためのシーケンス図の例を示す図。
【図１０Ａ】後続の送信のためにプライマリ受信機をアクティベートするように、低電力受信機に対してウェイクアップページを使用する実装形態のために、アクセスポイントによって行われる処理の例を示す図。
【図１０Ｂ】後続の送信のためにプライマリ受信機をアクティベートするように、低電力受信機に対してウェイクアップページを使用する実装形態のために、局によって行われる処理の例を示す図。
【図１１】後続の送信のためにプライマリ受信機をアクティベートするように、低電力受信機に対してウェイクアップページを使用するワイヤレス通信の実装形態のシーケンス図。
【図１２Ａ】後続の送信のためにプライマリ受信機をアクティベートするように、低電力受信機に対してウェイクアップページを使用する実装形態のために、アクセスポイントによって行われる処理の例を示す図。
【図１２Ｂ】後続の送信のためにプライマリ受信機をアクティベートするように、低電力受信機に対してウェイクアップページを使用する実装形態のために、局によって行われる処理の例を示す図。
【図１３】後続の送信のためにプライマリ受信機をアクティベートするように、低電力受信機に対してウェイクアップページを使用するワイヤレス通信の実装形態のシーケンス図。
【図１４Ａ】後続の送信のためにプライマリ受信機をアクティベートするように、低電力受信機に対してウェイクアップページを使用する実装形態のために、アクセスポイントによって行われる処理の例を示す図。
【図１４Ｂ】後続の送信のためにプライマリ受信機をアクティベートするように、低電力受信機に対してウェイクアップページを使用する実装形態のために、局によって行われる処理の例を示す図。
【図１５】後続の送信のためにプライマリ受信機をアクティベートするように、低電力受信機に対してウェイクアップページを使用するワイヤレス通信の実装形態のシーケンス図。
【図１６Ａ】プライマリ受信機をデアクティベートするように、低電力受信機に対して一時休止ページを使用する実装形態のために、アクセスポイントによって行われる処理の例を示す図。
【図１６Ｂ】プライマリ受信機をデアクティベートするように、低電力受信機に対して一時休止ページを使用する例示的な実装形態のために、局によって行われる一連のステップを示す図。
【図１７】プライマリ受信機をデアクティベートするように、低電力受信機に対して一時休止ページを使用する例示的な実装形態のシーケンス図。
【図１８】アクセスポイントと局との間の同期のために低電力受信機に対して同期ページを使用する例示的な実装形態のシーケンス図。
【図１９】ＡＰがセンサをグループ化し、各グループに対するビーコンおよびＴＩＭより前の別々の時間に各サブセットに対するウェイクアップページを送信する、例示的な省電力の実装形態を示す図。
【図２０】ＡＰがセンサをグループ化し、所与の時間から始まってトラフィック識別マップ（ＴＩＭ）までウェイクアップページを送信する、例示的な省電力の実装形態を示す図。
【図２１】ＡＰがセンサをグループ化し、所与の時間から始まってトラフィック識別マップ（ＴＩＭ）までウェイクアップページを送信し、スリープページがウェイクアップ受信プロシージャを終了させる、例示的な省電力の実装形態を示す図。
【図２２】ＡＰがセンサをグループ化し、各ビーコンよりも前に限られた数のウェイクアップページを送信する、例示的な省電力の実装形態を示す図。
【図２３】スリープパケットを受信しない低電力受信機を伴わず、プライマリ受信機がビーコンを無視しない、実装形態を示す図。
【図２４】ビーコンがそのビーコンを受信する前にウェイクアップページを受信する低電力受信機を伴う実装形態を示す図。
【図２５】ビーコンがそのビーコンを無視する前にスリープページを受信する低電力受信機を伴う実装形態を示す図。
【図２６】アクセスポイントによって行われるＵＬＰビーコニングモード処理の例を示すフローチャート。
【図２７】局によって行われるＵＬＰビーコニングモード処理の例を示すフローチャート。
【図２８】１つまたは複数のＳＴＡの間の通信を含むワイヤレス通信システムを示す図。
【発明を実施するための形態】
【００１１】
[0044]添付の図面を参照して、新規のシステム、装置、および方法の様々な態様が以下でより十分に説明される。しかしながら、本開示は、多くの異なる形態で具現化されることが可能であり、本開示全体にわたって提示される任意の特定の構造または機能に限定されるものと解釈されるべきではない。むしろ、これらの態様は、本開示が周到で完全になり、本開示の範囲を当業者に十分に伝えるように提供される。本明細書の教示に基づいて、本開示の範囲は、本発明の他の態様とは無関係に実装されるか、本発明の他の態様と組み合わされるかにかかわらず、本明細書で開示される新規のシステム、装置、および方法の任意の態様を包含することが意図されることを、当業者は諒解されたい。たとえば、本明細書に記載される任意の数の態様を使用して、装置が実現されてよく、または方法が実践されてよい。加えて、本発明の範囲は、本明細書に記載される本発明の様々な態様に加えて、またはそれらの態様以外に、他の構造、機能、または構造および機能を使用して実践される、そのような装置または方法を包含することが意図される。本明細書で開示される任意の態様が、請求項の１つまたは複数の要素によって具現化され得ることを理解されたい。
【００１２】
[0045]本明細書では特定の態様が説明されるが、これらの態様の多くの変形形態および置換は本開示の範囲内に入る。好ましい態様のいくつかの利益および利点が説明されるが、本開示の範囲が特定の利益、使用法、または目的に限定されることは意図されない。むしろ、本開示の態様は、様々なワイヤレス技術、システム構成、ネットワーク、および送信プロトコルに広く適用可能であることが意図され、そのうちのいくつかが例として図面および好ましい態様の以下の説明において示される。発明を実施するための形態および図面は、限定的なものではなく本開示を説明するものにすぎず、本開示の範囲は添付の特許請求の範囲およびその等価物によって定義される。
【００１３】
[0046]普及しているワイヤレスネットワーク技術は、様々なタイプのワイヤレスローカルエリアネットワーク（ＷＬＡＮ）を含み得る。ＷＬＡＮは、広く使用されるネットワーキングプロトコルを利用して、近くのデバイスを一緒に相互接続するために使用され得る。本明細書で説明される様々な態様は、ワイヤレスプロトコルなどの任意の通信規格に適用され得る。
【００１４】
[0047]いくつかの態様では、サブギガヘルツ帯域内のワイヤレス信号は、直交周波数分割多重（ＯＦＤＭ）、直接シーケンス拡散スペクトル（ＤＳＳＳ）通信、ＯＦＤＭとＤＳＳＳ通信との組合せ、または他のスキームを使用して、８０２．１１ａｈプロトコルに従って送信され得る。８０２．１１ａｈプロトコルの実装形態は、センサ、検針、およびスマートグリッドネットワークに使用され得る。有利には、８０２．１１ａｈプロトコルを実装するいくつかのデバイスの態様は、他のワイヤレスプロトコルを実装するデバイスよりも少ない電力を消費することがあり、および／または、比較的長い距離、たとえば約１キロメートル以上にわたってワイヤレス信号を送信するために使用されることがある。
【００１５】
[0048]いくつかの実装形態では、ＷＬＡＮは、ワイヤレスネットワークにアクセスするコンポーネントである様々なデバイスを含む。たとえば、２つのタイプのデバイス、すなわちアクセスポイント（「ＡＰ」）および（局または「ＳＴＡ」とも呼ばれる）クライアントが存在し得る。一般に、ＡＰはＷＬＡＮのためのハブまたは基地局として機能することができ、ＳＴＡはＷＬＡＮのユーザとして機能する。たとえば、ＳＴＡはラップトップコンピュータ、携帯情報端末（ＰＤＡ）、携帯電話などであり得る。ある例では、ＳＴＡは、インターネットまたは他のワイドエリアネットワークへの全般的な接続性を取得するために、ＷｉＦｉ（登録商標）（たとえば、８０２．１１ａｈなどのＩＥＥＥ８０２．１１プロトコル）準拠ワイヤレスリンクを介してＡＰに接続する。いくつかの実装形態では、ＳＴＡはＡＰとして使用されることもある。
【００１６】
[0049]アクセスポイント（「ＡＰ」）はまた、ＮｏｄｅＢ、無線ネットワークコントローラ（「ＲＮＣ」）、ｅＮｏｄｅＢ、基地局コントローラ（「ＢＳＣ」）、送受信基地局（「ＢＴＳ」）、基地局（「ＢＳ」）、送受信機機能（「ＴＦ」）、無線ルータ、無線送受信機、もしくは何らかの他の用語を備え、それらのいずれかとして実装され、またはそれらのいずれかとして知られ得る。
【００１７】
[0050]局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、もしくは何らかの他の用語を備え、それらのいずれかとして実装され、またはそれらのいずれかとして知られ得る。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適切な処理デバイスを備え得る。したがって、本明細書で教示される１つまたは複数の態様は、電話（たとえば、セルラー電話もしくはスマートフォン）、コンピュータ（たとえば、ラップトップ）、ポータブル通信デバイス、ヘッドセット、ポータブルコンピューティングデバイス（たとえば、個人情報端末）、娯楽デバイス（たとえば、音楽もしくはビデオデバイス、または衛星ラジオ）、ゲームデバイスもしくはシステム、全地球測位システムデバイス、または、ワイヤレス媒体を介して通信するように構成された任意の他の適切なデバイスに組み込まれ得る。
【００１８】
[0051]上で論じられたように、本明細書で説明されるデバイスのいくつかは、たとえば、８０２．１１ａｈ規格を実装し得る。そのようなデバイスは、ＳＴＡとして使用されるか、ＡＰとして使用されるか、他のデバイスとして使用されるかにかかわらず、スマート検針のためにまたはスマートグリッドネットワークにおいて使用され得る。そのようなデバイスは、センサへの適用例を提供し、またはホームオートメーションにおいて使用され得る。デバイスは、代わりにまたは加えて、たとえば個人の健康管理のために、健康管理の状況において使用され得る。それらのデバイスはまた、（たとえばホットスポットとともに使用するための）広範囲のインターネット接続を可能にするための、またはマシンツーマシン通信を実施するための、監視のために使用され得る。
【００１９】
[0052]ワイヤレスデバイスは、信号を送信または受信するときに電力を消費する。本明細書で説明されるデバイスのいくつかは、異なる能力と異なるレベルの電力消費とを伴う複数の状態で動作する。たとえば、受信機は、受信機回路がアクティベートされており入来する信号を受信することができるアウェイク状態において、または、回路がアクティベートされておらず入来する信号を受信しない一時休止状態において、より多くの電力を消費する。受信機がアウェイク状態にあり入来する信号を受信するのを待機している時間の長さを減らすことは、電力消費を減らす。
【００２０】
[0053]ワイヤレスデバイスは、様々な電力管理モードを利用して動作状態を管理する。これらの電力管理モードは、デバイスが常にアウェイク状態である「アクティブ」、デバイスがアウェイク状態と一時休止状態のいずれかであり得る「通常省電力」、または、デバイスがアウェイク状態と、一時休止状態にあるときよりも電力を節約し得る低電力状態とのいずれかであり得る「超低電力による省電力」（ＰＳ−ＵＬＰ：Power save with ultra low power）を含む。超低電力受信機（すなわち、デバイス中の第２の受信機）によって受信され得るページングメッセージを使用することに関する、本明細書で説明される実装形態は、本開示の明瞭性のために、ワイヤレスデバイスを動作させる多くの異なる電力モードに適用可能であってよく、本明細書で説明されるいくつかの実装形態の例は全般に、通常省電力モードを使用することに関する。
【００２１】
[0054]受信機ＳＴＡがアウェイクである時間を減らすための簡単な方法は、信号が送信機から受信機に送信され得る、送信機と合意された短い時間間隔を除く大半の時間において、受信機を一時休止状態に移行することである。これは、通常の適用例ではトラフィックパターンが予測不可能であるため、柔軟でも効率的でもない。合意されたアウェイク時間はトラフィックパターンと一致しないことがあるので、一部のアウェイク時間は送信時間と一致しないことがある。信号が合意されたアウェイク時間の外側で送信されたために、送信された信号が受信されない時間もあり得る。
【００２２】
[0055]より柔軟で効果的な手法は、受信機がアウェイクへ移行することをトリガイベントがトリガするまで、受信機が一時休止することである。いくつかの実装形態では、トリガイベントは、回路がウェイクアップワイヤレス信号を受信するときに生成される。ウェイクアップ信号を受信する回路が単純な低電力受信機となるようにウェイクアップ信号が構成される場合、電力消費は減らされる。低電力受信機（「ウェイクアップ受信機」と呼ばれることがある）は、ワイヤレスデバイスの全体の電力消費を減らすために、通常のデータ受信機よりも少ないエネルギーを消費するように構成される。
【００２３】
[0056]一実装形態では、ＳＴＡの通常のデータ受信機は一時休止状態にある。送信機（たとえば、ＡＰまたは他のＳＴＡの）は、ワイヤレスに信号をＳＴＡの低電力受信機に送信する。ＳＴＡの低電力受信機は、ワイヤレス信号を受信し、いくつかのアクションを実行する。たとえば、このアクションは、ＳＴＡの通常の受信機がデータを受信できるように、ＳＴＡの通常のデータ受信機をアウェイク状態へ（直ちに、または規定された時間に、または規定された時間遅延で）ウェイクアップすることであり得る。いくつかの場合には、ＳＴＡは次いで、ＳＴＡがアウェイクしていることをＡＰまたは別のＳＴＡに知らせるためのメッセージを送信する。次いで、ＡＰまたはＳＴＡは、ＳＴＡの通常の受信機にデータを送信することができ、このデータはＳＴＡによって受信され処理される。
【００２４】
[0057]いくつかのデバイスでは、低電力受信機（「超低電力受信機」または「高周波（ＲＦ）ウェイクアップ回路」と呼ばれることがある）によって受信されるワイヤレス信号は、短いページングメッセージ（「ページ」）、ウェイクアップパケット、または超低電力（ＵＬＰ）メッセージであり得る。本開示のいくつかの実装形態では、そのような信号またはページを使用して電力を節約するための、プロトコルが特定される。これは、限定はされないが、通常の省電力（ＰＳ：Power Save）プロトコルと未定自動省電力配信（Ｕ−ＡＰＳＤ：Unscheduled Automatic Power Save Delivery）とを含む、複数の省電力モードプロトコルの状況におけるものであり得る。ビーコンに対するものである可能性のあるページのタイミング、関連するセットアップシグナリング、およびページフォーマットの実装形態も開示される。
【００２５】
[0058]本開示は、Ｕ−ＡＰＳＤが使用されるかどうかに応じて、ビーコンとＰＳポーリング／トリガフレームとを使用する通常のＰＳモードプロトコルとともにＵＬＰメッセージを使用するための、プロトコルを特定する。これは、限定はされないが、ＰＳ−ＵＬＰと、通常のＰＳプロトコルと、Ｕ−ＡＰＳＤとを含む、複数の省電力モードプロトコルの状況におけるものであり得る。本開示は、ビーコンに対するＵＬＰメッセージおよび関連するセットアップシグナリングの、可能性のあるタイミングを説明する。本開示はまた、初期状態、省電力モード（たとえば、ＰＳ−ＵＬＰモード）、および受信または送信される信号のいくつかの組合せに応じた、ＳＴＡの状態移行を説明する。
【００２６】
[0059]限定はされないが、１ＭＨｚのＰＨＹプリアンブル、２ＭＨｚのＰＨＹプリアンブル、または様々な送信レートの短い制御フレームを含む、短いページメッセージの複数のフォーマットがあり得る。異なる状況では異なるフォーマットが適切であり得る。ＳＴＡは、ページングメッセージとして特定の１つを使用するようにＡＰに求め得る。短いページング信号のフォーマットは、関連付けのときに、または管理フレームの交換を通じた後で、ＡＰとＳＴＡとの間で合意される。
【００２７】
[0060]そのような実装形態では、ワイヤレスデバイスの低電力受信機によって受信される、送信され受信されるＵＬＰメッセージのフォーマット、コンテンツ、および定義は、受信機が入来するＵＬＰメッセージを特定し解析できるように、送信ワイヤレスデバイスおよび受信ワイヤレスデバイスによって知られている。いくつかの実装形態では、ＡＰまたは他のＳＴＡは、あるターゲット時間に、および／またはある時間間隔で、ＵＬＰメッセージを送信する。いくつかの実装形態では、受信ＳＴＡは、予想される構成およびコンテンツのいくつかのＵＬＰメッセージを受信するように設計される、単純な低電力の受信機回路を使用することができる。受信ＳＴＡはさらに、ウェイクアップ回路を、超低電力、一時休止、またはアウェイクなどの異なる動作状態にする、省電力スキームによって、電力消費を減らすように構成され得る。いくつかの場合には、これらの状態は、ＳＴＡの通常のデータ受信機および送受信機によって利用される状態に対応し得る。
【００２８】
[0061]いくつかの実装形態では、アナログ回路およびデジタル回路がオフまたはスリープにある時間を最大化することによって、電力が節約される。いくつかの実装形態では、ワイヤレスデバイス内の異なる回路は、異なる状態にあり得る。たとえば、通常のデータ受信機は一時休止状態であってよいが、ＵＬＰ受信機はＵＬＰメッセージを受信するためにアウェイクしていてよい。
【００２９】
[0062]いくつかの実装形態では、ＲＦウェイクアップ回路は、特定のＲＦ信号構造を選択的に受信する。検出されると、ＲＦウェイクアップ回路は、ＳＴＡの通常のデータ受信機と送受信機とをアクティベートする。これらの通常の受信機は、アナログ回路および／またはデジタル回路を含み得る。
【００３０】
[0063]いくつかの実装形態では、状態移行は瞬間的ではない。たとえば、送受信機が電源投入されるとき、位相ロックループ（ＰＬＬ）の収束時間、較正係数のローディング、およびレジスタをロードするための時間が大半は原因で、プライマリ受信機をアウェイクするのに数百マイクロ秒かかることがある。送受信機が完全に電源切断されているとき、ウェイクアップ時間は数百ミリ秒かかり得る。いくつかの実装形態では、状態移行時間を見込んで、十分な時間が割り振られ、媒体が確保される。
【００３１】
[0064]いくつかの実装形態では、低電力受信機は、ワイヤレスデバイスのプライマリ受信機とは別個のモジュールである。他の実装形態では、それらは同じモジュールの中にある。
【００３２】
[0065]いくつかの実装形態では、ＳＴＡは、アウェイク状態のみを伴うアクティブモードで動作する。他の実装形態では、ＳＴＡは、アウェイクおよび一時休止という２つの動作状態を伴う、通常のＰＳモードで動作する。
【００３３】
[0066]いくつかの実装形態では、ＳＴＡは、省電力−超低電力（ＰＳ−ＵＬＰ）モードで動作する。ＰＳ−ＵＬＰモードで動作するＳＴＡのいくつかの実装形態では、ＳＴＡは、アウェイク、一時休止、またはＵＬＰという３つの動作状態の間を移行し得る。一時休止状態からアウェイク状態、またはアウェイク状態から一時休止状態への移行は、既存のＰＳモード移行のスキームを使用することができる。一時休止状態からアウェイク状態に移行するとき、ＳＴＡは、ＰＳポーリングまたはトリガフレームをＡＰに送信し、データを受信する準備ができていることを示すことができる。アウェイク状態から一時休止状態に移行するとき、ＡＰは、ＳＴＡがスリープに入ることを示す。いくつかの実装形態では、ＡＰは、Ｍｏｒｅ  Ｄａｔａパラメータを偽に設定する。他の実装形態では、ＡＰは、Ｅｎｄ  ｏｆ  Ｓｅｒｖｉｃｅパラメータを真に設定する。他の実装形態では、同様の機構が利用され得る。本開示は、一時休止状態からＵＬＰ状態への、ＵＬＰ状態からアウェイク状態への、ＵＬＰ状態から一時休止状態への、およびアウェイク状態からＵＬＰ状態への移行と関連付けられる、様々な実装形態を説明する。
【００３４】
[0067]いくつかの実装形態では、ＵＬＰ回路はすべての時間にアクティブでなくてよく、通常、周期的にオフにされる必要がある。本開示は、ＡＰおよびＳＴＡが状態移行を調整し伝達することを可能にする、プロトコルを説明する。これらのプロトコルのいくつかの態様は、既存の省電力モードの機構と統合される。このことは、既存の仕様への変更を減らす。
【００３５】
[0068]いくつかの実装形態では、ページまたはＵＬＰメッセージは、ビーコンと共存する。ページまたはＵＬＰメッセージは、ビーコンと同じまたは異なるデューティサイクルで繰り返され得る。他の実装形態では、ページはビーコンを置き換え得る。
【００３６】
[0069]いくつかの実装形態では、ページまたはＵＬＰメッセージは、競合を減らすために使用され得る継続時間パラメータを含む。たとえば、継続時間の期間の間、または他の目的では、継続時間のセットの間、ウェイクアッププロトコルの間、アップリンク送信および／またはダウンリンク送信のための１つまたはいくつかのＳＴＡに対して、タイムスロットが専用とされ得る。
【００３７】
[0070]いくつかの実装形態では、ページまたはＵＬＰメッセージは、プライマリ受信機をスリープへと移行するようにワイヤレスデバイスに指示する。このことは、バッテリー消費を減らし、ＡＰがＳＴＡのためのＢＵを何ら有しないときに使用され得る。
【００３８】
[0071]ＡＰを含むワイヤレスデバイスは、ＳＴＡを含む１つまたは複数のデバイスとのタイミング同期のために、ページまたはＵＬＰメッセージを送信することができる。たとえば、「データなし」メッセージを伴うページが、同期のために送信され得る。
【００３９】
[0072]ワイヤレスデバイス間で送信されるページはまた、通信媒体、プロトコルの変化、識別パラメータの変化、ターゲットビーコン通過時間（ＴＢＴＴ）の変化についての情報、または他の同様の情報を提供することができる。
【００４０】
[0073]そのような実装形態では、送信されるページのページフォーマット、コンテンツ、および定義は、受信機が入来するページを特定し解析できるように、送信ワイヤレスデバイスおよび受信ワイヤレスデバイスによって知られている。いくつかの実装形態では、ＡＰまたは他のＳＴＡは、あるターゲット時間に、および／またはある時間間隔で、ページを送信する。いくつかの実装形態では、他のメッセージはその時にＳＴＡに送信されなくてよい。ターゲットの時間に、既知の合意された短いページングメッセージを送信することによって、受信ＳＴＡは、予想される構成およびコンテンツのいくつかのページを受信するように設計された、単純な低電力の受信機回路を使用することができる。受信ＳＴＡはさらに、ウェイクアップ回路を一時休止状態またはアウェイク状態にする省電力スキームによって、電力消費を減らすように構成され得る。いくつかの実装形態では、そのような一時休止状態およびアウェイク状態は、ＳＴＡの通常のデータ受信機および送受信機のために利用される一時休止状態およびアウェイク状態と、同様または同一であり得る。
【００４１】
[0074]いくつかの実装形態では、低電力受信機によって受信されるページは、ＰＨＹプリアンブルのみからなるＮＤＰ制御フレームであり得る。このページは、フレームのＳＩＧフィールド中にウェイクアップ情報を含み得る。他の実装形態では、ページはＭＡＣフレームであり得る。ＭＡＣフレームの例は、１に設定されたＭｏｒｅ  Ｄａｔａを伴う通常のＡＣＫ、ＱｏＳ−ＣＦ−ＡＣＫフレーム、または別の短いＭＡＣフレームを含む。これらの、および同様の短いメッセージの長さ、ならびに明確に定義された限られたページのセットは、より長いメッセージ、明確に定義されていない入力のセット、またはより大きな入力のセットにより可能なものよりも簡単な論理と、少量のメモリと、安価なクロックとを伴う復号回路を動作可能にする。そのような回路は、電力消費を減らし、ビーコンとＢＵとを受信するプライマリＳＴＡ受信機よりも少量のメモリおよび／または簡単なクロックを使用するように最適化される実装形態において、ページを受信し復号するように最適化され得る。そのような実装形態は、信号の長さと消費される受信電力とを減らし、これによってバッテリー持続時間を延ばす。ページを受信し復号するためのＳＴＡ中の回路は、他の回路と統合される別個の受信機として実装され得る。
【００４２】
[0075]いくつかの実装形態では、ページは、競合を減らすために使用され得る継続時間パラメータを含む。たとえば、継続時間の期間の間、または他の目的では、継続時間のセットの間、ウェイクアッププロトコルの間、アップリンク送信および／またはダウンリンク送信のための１つまたはいくつかのＳＴＡに対して、タイムスロットが専用とされ得る。
【００４３】
[0076]いくつかの実装形態では、ページは、プライマリ受信機をスリープへと移行するようにワイヤレスデバイスに指示する。このことは、バッテリー消費を減らし、ＡＰがＳＴＡのためのＢＵを何ら有しないときに使用され得る。
【００４４】
[0077]ＡＰを含むワイヤレスデバイスは、ＳＴＡを含む１つまたは複数デバイスとのタイミング同期のために、ページを送信することができる。たとえば、「データなし」メッセージを伴うページが、同期のために送信され得る。
【００４５】
[0078]ワイヤレスデバイス間で送信されるページはまた、通信媒体、プロトコルの変化、識別パラメータの変化、ターゲットビーコントランジット時間（ＴＢＴＴ）の変化についての情報、または他の同様の情報を提供することができる。
【００４６】
[0079]センサネットワークを含み得る、デバイスのワイヤレスネットワークまたは有線ネットワークのいくつかの実装形態では、ダウンロード（ＤＬ）データを受信する際の厳しいレイテンシ要件とともに、低デューティサイクルのアップロード（ＵＬ）とＤＬトラフィックとを伴う、適用例の種類があり得る。たとえば、１秒のレイテンシで、警告または命令に応答することが必要であり得る。８０２．１１ａｈは、５６０ｕｓ＋＞１３Ｂ＋ＴＩＭ＠１５０Ｋｂｐｓ＞１．５ｍｓという短いビーコンを定義するが、ビーコンを使用してＤＬデータを示す通常のＰＳモードは、十分に効率的ではないことがある。ＴＩＭサイズは拘束されず、追加のフィールド／ＩＥが存在することがある。
【００４７】
[0080]いくつかの実装形態では、低電力受信機および改良されたページングプロトコルは、最適化された受信機の動作を可能にし得る。このプロトコルは、既存の８０２．１１省電力動作モードと共存でき、同期フレームを伴うターゲットウェイクアップ時間のような、既存の８０２．１１ａｈの機構の上に構築され得る。
【００４８】
[0081]これらの実装形態では、ＳＴＡは、ターゲットウェイクアップ時間についてＡＰと合意する。ＳＴＡはまた、ＴＷＴにおいて、ＡＰにバッファリングされたユニットがあるかどうかを示す短いページングメッセージをＳＴＡが受信することを望むかどうかを、ＡＰに示す。ＳＴＡは、上記の要求と、ＴＷＴに対して示された時間のような、必要とされ得る任意の他のパラメータとを含む管理フレームを、ＡＰに送信することができる。短いページが送信されることをＳＴＡが要求した場合、およびデータが保留中である場合、ＡＰは、ターゲットウェイクアップ時間において、ＳＴＡに向けられる非常に短いページングメッセージを送信する。同じＴＷＴが２つ以上のＳＴＡに割り当てられる場合、これはグループキャストに拡張され得る。このメッセージを受信するＳＴＡについて、ＳＴＡには３つの選択肢がある。第１の選択肢は、バッファリングされたユニット（ＢＵ）を示すＴＩＭを受信したかのように動作し、ＰＳポーリングまたはトリガフレームを送信することである。第２の選択肢は、次の短いビーコンを読み取り、通常の省電力（ＰＳ）の場合のように進めることである。第３の選択肢は、ある時間の後でＡＰからのさらなるポーリングメッセージを待機することである。
【００４９】
[0082]これらの実装形態では、非常に短いページングメッセージはＮＤＰ制御フレームである。制御フレームは、ページングされているＳＴＡの（部分的な）ＡＩＤを含む。制御フレームはまた、ＳＴＡのためのＢＵがあるかどうかを示すビットを含む。いくつかの場合には、制御フレームは、タイムスタンプの複数のＬＳＢのような同期情報を含む。ページはＴＷＴにおいて受信され、ビーコンはＴＢＴＴにおいて受信される。ページは、最適化されたＲＸ  ＯＮ  ５６０ｕｓである。通常のＰＳモードでは、ＳＴＡは短いビーコンを復号する。
【００５０】
[0083]ページを使用することによって、ＳＴＡは、短いＮＤＰ制御フレームを復号するだけでよい。いくつかの実装形態では、ＮＤＰ制御フレームを復号するための時間は、ビーコンを復号するための時間の３分の１未満である。たとえば、短いビーコンを復号するために１．５ｍｓを超える、ＮＤＰ制御フレームを復号するための時間の３倍より大きい。
【００５１】
[0084]いくつかの実装形態では、最適化された受信機は、完全な受信機の代わりにページングメッセージを受信する。これが可能である例は、ページが明確に定義されている場合である。ＰＨＹ受信機は、ＮＤＰフレームのみを検出し復号するように最適化され得る。単純なＭＡＣでは、受信時の動作に制約があり得る。
【００５２】
[0085]いくつかの実装形態では、データのデューティサイクルが低い。いくつかの実装形態では、任意の時点において、１つのＳＴＡだけがページングされる必要がある可能性が高い。いくつかの実装形態では、異なるＳＴＡは異なるＴＷＴまたは近くのＴＷＴを割り当てられ得る。いくつかの実装形態では、複数のＳＴＡは同じＴＷＴを割り当てられ得る。グループＡＩＤは、複数のＳＴＡをページングするために定義され得る。複数のＮＤＰは、１つのＳＴＡをそれぞれ対象とするシーケンスにおいて送信され得る。
【００５３】
[0086]本開示で説明される方法およびシステムの１つの利点は、ダウンロード配信を最適化するということである。ＩＥＥＥによって承認されるような、同期フレームを持つ既存のターゲットウェイク時間（ＴＷＴ）の手法は、アップロードアクセスを改善することに注目する。
【００５４】
[0087]本開示の提案される方法およびシステムは、ＩＥＥＥによってすでに承認されている、同期フレームを伴う既存のＴＷＴの概念を改良する。既存の承認されている手法は、ＤＬ配信よりもＵＬアクセスに利益をもたらす。ＴＷＴのために、ＳＴＡおよびＡＰは、ＵＬデータとＤＬデータの交換のためのウェイクアップ時間について合意する。既存の手法では、より高速なＵＬ媒体アクセスを可能にするために、ＴＷＴのスロット境界においてＡＰによって送信される同期フレーム。本開示は、既存の機構を拡張してダウンロード配信も最適化する。
【００５５】
[0088]いくつかの実装形態では、チャネルがアイドル状態であり、ＳＴＡが媒体と迅速に同期するために同期フレームを受信することを要求した場合、または、ＳＴＡがダウンリンクバッファユニットまたはチェックビーコンの通知を受信することを要求した場合、ＡＰは、スロット境界またはＳＴＡのターゲットウェイク時間において同期フレームを送信する。同期フレームは、ターゲットＳＴＡの（部分的な）ＡＩＤ、制御情報（ＢＵの存在、ビーコン読取り、同期のみ）をＳＩＧ中に含むＮＤＰ制御フレームである。ＮＤＰ同期フレームを送信した後で、ＡＰは、ＳＴＡがアクティブモードになる前に、データまたは管理フレームをＳＴＡに送信しなくてよい。
【００５６】
[0089]いくつかの実装形態では、ＮＤＰ同期フレームの１〜２ＭＨｚのＰＨＹプリアンブルＳＩＧフィールドは、Ｐａｒｔｉａｌ  ＡＩＤ（約６〜１３ビットのＡＩＤおよびＢＳＳＩＤのハッシュ）を含み得る。それは、保留中のＢＵおよびビーコン読取りのためのビットを伴う情報フィールドも含み得る。ＵＬデータのみのための同期に対しては、両方のビットが０に設定される。保留中のＢＵが０でありビーコン読取りが１であるとき、ＳＴＡは完全なビーコンを読み取るように指示される。保留中のＢＵが１であるがビーコン読取りが０であるとき、ＳＴＡは、ＢＵが利用可能であることを知らされるので、ＰＳポーリングを送信し、またはデータを待機する。両方のビットが０に設定されるとき、ＳＴＡは、ＴＩＭビーコンを読み取るように指示される。
【００５７】
[0090]いくつかの実装形態では、ＣＲＣ、Ｔａｉｌ、ＭＡＣ−ＮＤＰ、Ｔｙｐｅ、Ｐａｒｔｉａｌ−ＡＩＤ、およびＩｎｆｏ／ｒｅｓｅｒｖｅｄのビットの数は、それぞれ、４、６、１、４、６〜１３、および８〜１５である。他の実装形態では、ＣＲＣ、Ｔａｉｌ、ＭＡＣ−ＮＤＰ、Ｔｙｐｅ、Ｐａｒｔｉａｌ−ＡＩＤ、およびＩｎｆｏ／ｒｅｓｅｒｖｅｄのビットの数は、それぞれ、４、６、１、４、６〜１３、および２０〜２７である。
【００５８】
[0091]いくつかの実装形態では、ビーコンをページで置き換えることは、エネルギーの仮定を減らす。１００ｍＷの受信電力、スリープ電力または１０ｍＷ、２０ｐｐｍのクロックのドリフトを仮定することによって評価が開始されてよく、ＳＴＡによるＢＵがないことはなお、レイテンシを保証するのを妨げる。ＭＣＳ０  ｒｅｐ２における１６バイトの短いビーコン（１．４ｍｓ）を２４０／５６０ｕｓという短いページで置き換え、ビーコンのベースラインのために使用されるものと同じ期間をページの選択肢に対して仮定することによって、このページングの枠組みは、はるかに少ないエネルギーを消費する。最適化された受信機は、エネルギー消費をさらに減らすように設計され得る。最適化された受信機によって、特に小さなレイテンシにおける非常に大きなエネルギーの節約が可能であり、１００ｍｓのレイテンシでは５〜１０倍のバッテリー持続時間の向上が推定され、２ｓのレイテンシでは２〜５倍のバッテリー持続時間の向上が推定される。
【００５９】
[0092]いくつかの実装形態では、ＳＴＡが媒体と迅速に同期するために同期フレームを受信することを要求した場合、または、ＳＴＡがダウンリンクバッファユニットまたはチェックビーコンの通知を受信することを要求した場合、ＡＰは、ポイント調整機能（ＰＣＦ：Point Coordination Function）フレーム間スペース（ＰＩＦＳ：Interframe Spaces）を使用して、スロット境界またはＳＴＡのターゲットウェイク時間において同期フレームを送信する。ＡＰは、ＳＴＡのターゲットウェイク時間から時間Ｔが経った後、同期フレームの送信を中止する。同期フレームは、ターゲットＳＴＡの（部分的な）ＡＩＤ、制御情報（ＢＵの存在、ビーコン読取り、同期のみ）をＳＩＧ中に含むＮＤＰ制御フレームである。ＮＤＰ同期フレームを送信した後で、ＡＰは、ＳＴＡがアクティブモードになる前に、データまたは管理フレームをＳＴＡに送信しなくてよい。
【００６０】
[0093]図１は、本開示の態様が利用され得る例示的なワイヤレス通信システム１００を示す。ワイヤレス通信システム１００は、ワイヤレス規格、たとえば８０２．１１ａｈ規格に従って動作することができる。ワイヤレス通信システム１００は、ＳＴＡ１０６と通信するＡＰ１０４を含み得る。
【００６１】
[0094]様々な処理および方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送信され受信され得る。この場合、ワイヤレス通信システム１００は、ＯＦＤＭ／ＯＦＤＭＡシステムと呼ばれ得る。代替的に、信号は、ＣＤＭＡ技法に従って、ＡＰ１０４とＳＴＡ１０６との間で送信され受信され得る。この場合、ワイヤレス通信システム１００は、ＣＤＭＡシステムと呼ばれ得る。
【００６２】
[0095]ＡＰ１０４からＳＴＡ１０６の１つまたは複数への送信を容易にする通信リンクはダウンリンク（ＤＬ）１０８と呼ばれることがあり、ＳＴＡ１０６の１つまたは複数からＡＰ１０４への送信を容易にする通信リンクはアップリンク（ＵＬ）１１０と呼ばれることがある。代替として、ダウンリンク１０８は順方向リンクまたは順方向チャネルと呼ばれることがあり、アップリンク１１０は逆方向リンクまたは逆方向チャネルと呼ばれることがある。
【００６３】
[0096]ＡＰ１０４は、基地局として動作し、基本サービスエリア（ＢＳＡ）１０２においてワイヤレス通信カバレッジを提供することができる。ＡＰ１０４は、ＡＰ１０４と関連付けられる、また通信のためにＡＰ１０４を使用するＳＴＡ１０６とともに、基本サービスセット（ＢＳＳ）と呼ばれ得る。ワイヤレス通信システム１００は、中央ＡＰ１０４を有しないことがあり、むしろ、ＳＴＡ１０６間のピアツーピアネットワークとして機能し得ることに留意されたい。したがって、本明細書で説明されたＡＰ１０４の機能は、ＳＴＡ１０６のうちの１つまたは複数によって代替的に実行され得る。
【００６４】
[0097]ＡＰ１０４は、ダウンリンク１０８などの通信リンクを介して、システム１００の他のノードＳＴＡ１０６にビーコン信号（または単に「ビーコン」）を送信することができ、ビーコン信号は、他のノードＳＴＡ１０６がタイミングをＡＰ１０４と同期するのを助けることができ、または、他の情報もしくは機能を提供することができる。そのようなビーコンは周期的に送信され得る。一態様では、連続する送信の間の期間は、スーパーフレームと呼ばれ得る。ビーコンの送信は、いくつかのグループまたは間隔に分割され得る。一態様では、ビーコンは、限定はされないが、共通クロックを設定するためのタイムスタンプ情報、ピアツーピアネットワーク識別子、デバイス識別子、能力情報、スーパーフレーム継続時間、送信方向情報、受信方向情報、近隣リスト、および／または、拡張近隣リストなどの情報を含んでよく、これらのうちのいくつかが以下でさらに詳細に説明される。したがって、ビーコンは、いくつかのデバイスの間で両方共通の（たとえば、共有される）情報と、所与のデバイスに固有の情報とを含み得る。
【００６５】
[0098]ＡＰ１０４は、ダウンリンク１０８などの通信リンクを介して、システム１００の他のノードＳＴＡ１０６に短いページメッセージ信号（または単に「ページ」）を送信することができ、ページは、他のノードＳＴＡ１０６がタイミングをＡＰ１０４と同期するのを助けることができ、または、他の情報もしくは機能を提供することができる。そのようなページは周期的に送信され得る。一態様では、連続する送信の間の期間は、ページスーパーフレームと呼ばれ得る。ページの送信は、いくつかのグループまたは間隔に分割され得る。一態様では、ページは、限定はされないが、受信機をウェイクアップする時間、受信機をスリープする時間、または継続時間情報、共通クロックを設定するためのタイムスタンプ情報、ピアツーピアネットワーク識別子、デバイス識別子、能力情報、ページスーパーフレーム継続時間、送信方向情報、および／または、受信方向情報などの情報を含んでよく、これらのうちのいくつかが以下でさらに詳細に説明される。したがって、ページは、いくつかのデバイスの間で両方共通の（たとえば、共有される）情報と、所与のデバイスに固有の情報とを含み得る。短いページメッセージ信号はまた、低電力信号、超低電力信号、またはメッセージ、またはパケットと呼ばれ得る。
【００６６】
[0099]いくつかの態様では、ＳＴＡ１０６は、ＡＰ１０４に通信を送信し、および／／またはＡＰ１０４から通信を受信するために、ＡＰ１０４と関連付けることが必要とされ得る。一態様では、関連付けるための情報は、ＡＰ１０４によってブロードキャストされるビーコンに含まれる。そのようなビーコンを受信するために、ＳＴＡ１０６は、たとえば、カバレッジ領域にわたって広範なカバレッジ探索を実行することができる。探索はまた、たとえば、灯台スキームでカバレッジ領域をスイープすることによって、ＳＴＡ１０６により実行され得る。関連付けるための情報を受信した後、ＳＴＡ１０６は、関連付け調査または要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００６７】
[00100]したがって、いくつかのワイヤレス通信システム１００では、ＡＰ１０４は、ＳＴＡ１０６のためにＡＰ１０４においてバッファリングされたデータがあるかどうか示すページングメッセージを、省電力モードにある複数のＳＴＡ１０６に送信することができる。ＳＴＡ１０６は、この情報を使用して、アウェイク状態または一時休止状態にいつ移行するかを決定することができる。たとえば、ＳＴＡ１０６がページングされていないとＳＴＡ１０６が判定した場合、ＳＴＡ１０６は一時休止状態に入ることができる。代替として、ＳＴＡ１０６がページングされ得るとＳＴＡ１０６が判定した場合、ＳＴＡ１０６は、ある時間期間、アウェイク状態に入ってページを受信し、さらにページに基づいてアウェイク状態にいつ入るかを決定することができる。さらに、ＳＴＡ１０６は、ページを受信した後、ある時間期間、アウェイク状態にとどまることができる。別の例では、ＳＴＡ１０６は、ページングされたときも、ページングされないときも、本開示と矛盾しない他の方法で機能するように構成され得る。
【００６８】
[00101]いくつかの態様では、ページングメッセージは、トラフィック識別マップ（ＴＩＭ）のようなビットマップ（この図に示されない）を含み得る。いくつかのそのような態様では、ビットマップはいくつかのビットを含み得る。これらのページングメッセージは、ビーコンまたはＴＩＭのフレームでＡＰ１０４からＳＴＡ１０６に送信され得る。ビットマップ中の各ビットは、複数のＳＴＡ１０６のうちの特定のＳＴＡ１０６に対応してよく、各ビットの値（たとえば、０または１）は、ＡＰ１０４がその特定のＳＴＡのために有するバッファリングされたユニット（ＢＵ）を受信することが可能となるために、対応するＳＴＡ１０６がなるべき状態（たとえば、一時休止状態またはアウェイク状態）を示すことができる。したがって、ビットマップのサイズは、ワイヤレス通信システム１００内のＳＴＡ１０６の数に正比例し得る。したがって、ワイヤレス通信システム１００内の多数のＳＴＡ１０６は、大きなビットマップをもたらし得る。
【００６９】
[00102]いくつかの態様では、長時間スリープとなるＳＴＡ１０６は、入来するＴＩＭメッセージを読み取るためにウェイクアップしないことがある。たとえば、ＳＴＡ１０６は、延長スリープモードでは、１つまたは複数のＴＩＭメッセージを通じてスリープになるように構成され得る。この場合、ＳＴＡ１０６は、ＳＴＡ１０６がいずれのＴＩＭメッセージも読み取れないことを、ＡＰ１０４に事前にアドバタイズしていることがある。したがって、ＡＰ１０４は、ＴＩＭメッセージ中に対応する識別子を含めなくてよい。様々な実装形態では、ＳＴＡ１０６は、制御メッセージを使用して、または関連付け中に直ちに、ＳＴＡ１０６が１つまたは複数のＴＩＭメッセージのためにウェイクアップしないこと（すなわち、それらが上述の省電力モードで動作していること）をＡＰ１０４に通知し得る。
【００７０】
[00103]このようにＡＰ１０４に通知したＳＴＡ１０６に対しては、ＡＰ１０４がＳＴＡ１０６を対象とするＢＵを有するときでも、ＡＰ１０４はＴＩＭメッセージ中に識別子を含めなくてよい。ＳＴＡ１０６は、任意の時間にＡＰ１０４へＰＳポーリングを送信することによって、ＳＴＡ１０６のＢＵを要求することができる。一実装形態では、ＡＰ１０４は、ＰＳポーリングに応答して、ＢＵを直ちに送信することができる。別の実装形態では、ＡＰ１０４は、ＰＳポーリングにＡＣＫで応答し、後でＢＵを配信することができる。さらに別の実装形態では、ＡＰ１０４は、ＰＳポーリングに（ＡＣＫでもＢＵでも）直ちに応答しないことがある。ＡＰ１０４は、代わりに、ＴＩＭメッセージの後の所与の予定された時間の後に送信される、累積ＡＣＫフレームで返答することができる。
【００７１】
[00104]様々な実装形態では、ＳＴＡ１０６は、ＰＳポーリング（動的インジケーションの場合）、ＡＰに送信される関連付け要求、調査要求、および／または別の管理フレーム（静的インジケーションの場合）を介して、ＢＵを配信するための待ち時間を規定することができる。他の実装形態では、ＡＰ１０４は、肯定応答（ＡＣＫまたはａｃｋ）フレーム、ＴＩＭ要素（動的インジケーションの場合）、ＳＴＡ１０６に送信されるビーコン、関連付け応答、調査応答、または他の管理フレーム（静的インジケーションの場合）を介して、ＢＵを配信するための待ち時間を規定することができる。ＳＴＡ１０６は、待ち時間の継続時間の間、スリープに入ることができる。ＳＴＡ１０６は、ＡＣＫを送信することによって、ＢＵの正しい受信に肯定応答することができる。ＳＴＡ１０６は次いで、スリープに戻ることができる。
【００７２】
[00105]図２は、図１のワイヤレス通信システム１００内で利用され得るワイヤレスデバイス２０２の例示的な機能ブロック図を示す。ワイヤレスデバイス２０２は、本明細書で説明される様々な方法を実施するように構成され得るデバイスの例である。たとえば、ワイヤレスデバイス２０２は、ＳＴＡ１０６のうちの１つ、またはリレー３２０および／または３３０のうちの１つを備え得る。
【００７３】
[00106]ワイヤレスデバイス２０２は、ワイヤレスデバイス２０２の動作を制御するプロセッサ２０４を含み得る。プロセッサ２０４は、中央処理装置（ＣＰＵ）とも呼ばれ得る。読取り専用メモリ（ＲＯＭ）とランダムアクセスメモリ（ＲＡＭ）の両方を含み得るメモリ２０６は、命令とデータとをプロセッサ２０４に提供することができる。メモリ２０６の一部は、不揮発性ランダムアクセスメモリ（ＮＶＲＡＭ）も含み得る。プロセッサ２０４は通常、メモリ２０６内に記憶されたプログラム命令に基づいて、論理演算と算術演算とを実行する。メモリ２０６中の命令は、本明細書で説明される方法を実施するように実行可能であり得る。
【００７４】
[00107]プロセッサ２０４は、１つまたは複数のプロセッサによって実装された処理システムを備えてよく、またはそのコンポーネントであってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、個別のハードウェアコンポーネント、専用のハードウェア有限ステートマシン、または、情報の計算もしくは他の操作を実行することができる任意の他の適切なエンティティの任意の組合せによって実装され得る。
【００７５】
[00108]処理システムはまた、ソフトウェアを記憶するための機械可読媒体も含み得る。ソフトウェアは、ソフトウェアと呼ばれるか、ファームウェアと呼ばれるか、ミドルウェアと呼ばれるか、マイクロコードと呼ばれるか、ハードウェア記述言語と呼ばれるか、または別様に呼ばれるかにかかわらず、任意のタイプの命令を意味すると広く解釈されるべきである。命令は、（たとえば、ソースコード形式、バイナリコード形式、実行可能コード形式、または任意の他の適切なコード形式の）コードを含み得る。命令は、１つまたは複数のプロセッサによって実行されたとき、本明細書で説明される様々な機能を処理システムに実行させる。
【００７６】
[00109]ワイヤレスデバイス２０２が送信ノードとして実装または使用されるとき、プロセッサ２０４は、複数の媒体アクセス制御（ＭＡＣ）ヘッダタイプのうちの１つを選択し、そのＭＡＣヘッダタイプを有するパケットを生成するように構成され得る。たとえば、プロセッサ２０４は、以下でさらに詳細に説明されるように、ＭＡＣヘッダとペイロードとを備えるパケットを生成し、どのようなタイプのＭＡＣヘッダを使用するかを判定するように構成され得る。
【００７７】
[00110]ワイヤレスデバイス２０２が受信ノードとして実装または使用されるとき、プロセッサ２０４は、複数の異なるＭＡＣヘッダタイプのパケットを処理するように構成され得る。たとえば、プロセッサ２０４は、以下でさらに論じられるように、パケット中で使用されるＭＡＣヘッダのタイプを判定し、それに応じてパケットおよび／またはＭＡＣヘッダのフィールドを処理するように構成され得る。
【００７８】
[00111]ワイヤレスデバイス２０２はまた、ワイヤレスデバイス２０２と遠隔の位置との間のデータの送信と受信とを可能にするために、送信機２１０および／または受信機２１２を含み得る筐体２０８を含み得る。送信機２１０と受信機２１２は、送受信機２１４へと組み合わされ得る。アンテナ２１６は、筐体２０８に取り付けられ、送受信機２１４に電気的に結合され得る。ワイヤレスデバイス２０２は、複数の送信機、複数の受信機、複数の送受信機、および／または複数のアンテナも含み得る（図示せず）。
【００７９】
[00112]ワイヤレスデバイス２０２は、送受信機２１４によって受信された信号のレベルを検出し、定量化しようとする際に使用され得る、信号検出器２１８も含み得る。信号検出器２１８は、総エネルギー、シンボルごとのサブキャリア当たりのエネルギー、電力スペクトル密度および他の信号などの信号を検出することができる。ワイヤレスデバイス２０２は、信号を処理する際に使用するデジタル信号プロセッサ（ＤＳＰ）２２０も含み得る。ＤＳＰ２２０は、送信のためのパケットを生成するように構成され得る。いくつかの態様では、パケットは物理レイヤデータユニット（ＰＰＤＵ）を備え得る。
【００８０】
[00113]受信機２１２は、異なるＭＡＣヘッダタイプを有するパケットをワイヤレスに受信するように構成され得る。いくつかの態様では、受信機２１２は、以下でさらに詳細に説明されるように、使用されたＭＡＣヘッダのタイプを検出し、それに応じてパケットを処理するように構成される。
【００８１】
[00114]ワイヤレスデバイス２０２は、送受信機２１４によって受信された信号のレベルを検出し、定量化しようとする際に使用され得る、信号検出器２１８も含み得る。信号検出器２１８は、総エネルギー、シンボルごとのサブキャリア当たりのエネルギー、電力スペクトル密度および他の信号などの信号を検出することができる。ワイヤレスデバイス２０２は、信号を処理する際に使用するデジタル信号プロセッサ（ＤＳＰ）２２０も含み得る。ＤＳＰ２２０は、送信のためのデータユニットを生成するように構成され得る。いくつかの態様では、データユニットは物理レイヤデータユニット（ＰＰＤＵ）を備え得る。いくつかの態様では、ＰＰＤＵはパケットと呼ばれる。
【００８２】
[00115]ワイヤレスデバイス２０２はさらに、第２の低電力受信機２２８を備えるウェイクアップ回路２３０を備え得る。一態様では、低電力受信機２２８は、動作の間に受信機２１４によって通常消費される電力よりも少ない電力を消費するように構成され得る。たとえば、低電力受信機２２８は、送受信機２１４と比較すると、動作時に、およそ１０倍、２０倍、５０倍、または１００倍（またはそれ以上）少ない電力を消費するように構成され得る。一態様では、低電力受信機２２８は、ＯＦＤＭおよび他の同等の技法に基づいて信号を送信し受信するように構成され得る送受信機２１４と比較すると、オンオフ変調または周波数偏移変調（ＦＳＫ）のような変調／復調技法を使用して信号を受信するように構成され得る。低電力受信機２２８を有するワイヤレスデバイス２０２であるＳＴＡ１０６は、本明細書では低電力受信機ＳＴＡ２２８と呼ばれ得る。低電力受信機２２８を含まない可能性がある、または、送受信機２１４がアクティベートされるモードで動作している可能性がある他のＳＴＡは、本明細書ではＳＴＡ１０６と呼ばれ得る。
【００８３】
[00116]いくつかの態様では、ワイヤレスデバイス２０２はさらに、ユーザインターフェース２２２を備え得る。ユーザインターフェース２２２は、キーパッド、マイクロフォン、スピーカ、および／またはディスプレイを備え得る。ユーザインターフェース２２２は、ワイヤレスデバイス２０２のユーザに情報を伝え、および／／またはユーザからの入力を受信する、任意の要素またはコンポーネントを含み得る。
【００８４】
[00117]ワイヤレスデバイス２０２の様々なコンポーネントは、バスシステム２２６によって一緒に結合され得る。バスシステム２２６は、たとえば、データバスを含んでよく、さらには、データバスに加えて、電力バス、制御信号バス、およびステータス信号バスを含んでよい。ワイヤレスデバイス２０２のコンポーネントは、何らかの他の機構を使用して、互いに結合され、または互いに対する入力を受け入れ、または提供し得ることを当業者は諒解されよう。
【００８５】
[00118]図２には、いくつかの別個のコンポーネントが示されているが、コンポーネントの１つまたは複数が組み合わされ、または共通に実装され得ることを当業者は認識するであろう。たとえば、プロセッサ２０４は、プロセッサ２０４に関して上で説明された機能を実装するためだけでなく、信号検出器２１８および／またはＤＳＰ２２０に関して上で説明された機能を実装するためにも使用され得る。さらに、図２に示されるコンポーネントの各々は、複数の別個の要素を使用して実装され得る。
【００８６】
[00119]ワイヤレスデバイス２０２は、ＳＴＡ１０６を備えてよく、通信を送信および／または受信するために使用されてよい。すなわち、ＳＴＡ１０６は、送信機デバイスまたは受信機デバイスとして機能し得る。いくつかの態様は、信号検出器２１８が、送信機または受信機の存在を検出するために、メモリ２０６およびプロセッサ２０４上で動作しているソフトウェアによって使用されることを企図する。
【００８７】
[00120]受信機２１２のようなＳＴＡ１０６の受信機は、ＡＰ１０４または別のＳＴＡからのパケットの受信の間に、またはパケットが受信されるのを待機している間に、大量の電力を消費し得る。ＳＴＡ１０６によって消費される電力の量は、受信機が短い時間間隔の間オフされれば、減らされ得る。たとえば、ＳＴＡ１０６の受信機は、ＡＰ１０４およびＳＴＡ１０６によって合意された時間に、オフまたはオンされ得る。しかしながら、合意された時間に受信機をオフすることは、柔軟または効率的ではないことがある。ＡＰ１０４への、およびＡＰ１０４からのトラフィックパターンは予測可能でないことがあるので、ＳＴＡ１０６に送信される準備ができているパケットがないときに、合意された時間が来ることがある。同様に、ＳＴＡ１０６の受信機がオフにされているときに、パケットはＳＴＡ１０６へ送信される準備ができることがある。
【００８８】
[00121]いくつかの実装形態では、上で説明された欠点のいくつかは、ＳＴＡ１０６に第２の受信機を含めることによって最小化され得る。第２の受信機は、ＷＬＡＮ（たとえば、ＩＥＥＥ  ８０２．１１プロトコルなど）と互換性のある低電力受信機であり得る。たとえば、ＳＴＡ１０６の低電力受信機は、ＡＰ１０４と通信する（たとえば、ＡＰ１０４からパケットを受信する）ことが可能であり得る。別の例として、ＳＴＡ１０６の低電力受信機は、ＳＴＡ１０６と関連付けられないものを含む、他のＳＴＡと通信することが可能であり得る。本明細書で説明されるように、低電力受信機の使用はエネルギー消費を減らし得る。
【００８９】
[00122]一般に、ＳＴＡ１０６（たとえば、ワイヤレスデバイス２０２）は、ＡＰ１０４または別のＳＴＡからメッセージが受信されたときにスリープ状態または一時休止状態から受信機２１２をウェイクアップする、ＲＦウェイクアップ受信機を含み得る。ＲＦウェイクアップ受信機は、受信機２１２がウェイクアップしデータの受信を開始するための媒体を確保し得る。さらなる実施形態では、ＲＦウェイクアップ受信機は、ＡＰ１０４と合意された予定に基づいて、オンされオフされ得る。これは、エネルギー消費をさらに減らし得る。
【００９０】
[00123]ある実装形態では、ＳＴＡ１０６は、ＳＴＡ１０６が動作している所与の電力管理（または省電力）モードのいくつかの状態の１つにあり得る。たとえば、状態は、ＳＴＡ１０６が「アウェイクして」おり、ＳＴＡ１０６が信号を（その主信号受信機２１２で）受信し、処理し、送信できる、アクティブ状態を含み得る。言い換えると、アクティブ状態では、ＳＴＡ１０６の受信機２１２ならびに任意の関連付けられるアナログ回路および／またはデジタル回路は、ＳＴＡ１０６が信号を受信し、処理し、送信できるように、オンされ得る。ＳＴＡ１０６がＰＳモードにあるとき、ＳＴＡ１０６は、アウェイク状態または一時休止状態にあり得る。一時休止状態では、ＳＴＡ１０６は、主信号受信機２１２で信号を受信できず、より少ない電力が消費される。信号を受信するために、ＳＴＡ１０６はアウェイク状態に置かれてよく、通常、周期的に（たとえば、ビーコンを確認するために１００ｍｓごとに）アウェイクする。いくつかの実装形態では、ＳＴＡ１０６は、ＰＳ低電力モード（ＰＳ−ＬＰモード）でも動作することができる。ＰＳ−ＬＰモードでは、ワイヤレスデバイスの主信号受信機（たとえば、デバイス２０２の受信機２１２）は、通常は周期的にアウェイクしないが、代わりに、メイン受信機は、メイン受信機２１２をウェイクアップするようにインジケートする信号を低電力受信機２２８が受信したときにウェイクアップさせられる。したがって、ＰＳ−ＬＰモードのいくつかの実装形態では、ＳＴＡの状態は、アウェイク、一時休止、または低電力であり得る（このとき、ＳＴＡは周期的にウェイクアップしないが、代わりに、低電力受信機において受信される信号によってアウェイクされる）。ＰＳ−ＬＰモードの他の実装形態では、ＳＴＡの状態はアウェイクまたは低電力であり得るが、一時休止状態を有しない。
【００９１】
[00124]ＰＳモードでは、ＳＴＡ１０６はアウェイク状態にあってよく（たとえば、受信機２１２ならびに任意の関連付けられるアナログ回路および／またはデジタル回路がオンされる）、または、一時休止状態にあってよい（たとえば、ＲＦウェイクアップ受信機はオンされるが、受信機２１２ならびに任意の関連付けられるアナログ回路および／またはデジタル回路はオフされる）。ＡＰは、ワイヤレスデバイスがＰＳ−ＬＰモードで動作しているかどうかを知らないことがある。たとえば、レガシーデバイスは、低電力受信機を含まないことがある。したがって、ＰＳ−ＬＰモードを利用できるデバイスに対してはＰＳ−ＬＰモードを利用でき、レガシーデバイスが通常動作する通りに動作するようにレガシーデバイスにも対応する、通信プロトコルが使用され得る。
【００９２】
[00125]いくつかの実装形態では、ワイヤレスデバイスがレガシーの省電力モードにあるとき、ワイヤレスデバイスビー、いくつかの動作モードの１つで動作可能。たとえば、動作モードは、レガシーのＰＳポーリング、未定自動省電力配信（Ｕ−ＡＰＳＤ）、予定自動省電力配信（Ｓ−ＡＰＳＤ：scheduled automatic power save delivery）、トンネル化直接リンクセットアップ（ＴＤＬＳ：tunneled direct-link setup）ピア省電力モード、および／または、ＩＥＥＥ  ８０２．１１ａｈターゲットウェイク時間（ＴＷＴ）を含み得る。
【００９３】
[00126]レガシーのＰＳポーリング動作モードは、ＡＰ１０４によって送信されるトラフィックインジケーションマップ（ＴＩＭ）をＳＴＡ１０６が聴取することを含み得る。バッファリング可能なユニット（ＢＵ）があることをＴＩＭが示す場合、ＳＴＡ１０６はＰＳポーリングをＡＰ１０４に送信することができる。ＡＰ１０４は、データを直ちに送信することによって、または、後でデータに続いて肯定応答を送信することによって、応答することができる。ＡＰ１０４はまた、利用可能なさらなるＢＵがあるかどうかを示すことができる。
【００９４】
[00127]Ｕ−ＡＰＳＤ動作モードは、ＰＳポーリング動作モードと同様であり得る。ＳＴＡ１０６は「トリガフレーム」を送信することができ、トリガフレームは、ＡＣインジケーションを伴う任意のデータフレーム（たとえば、ＱｏＳ−Ｎｕｌｌを含む）を含み得る。ＡＰ１０４は、サービス期間の開始時に、かつサービス期間が終わるまでデータを送信することによって、応答することができる。
【００９５】
[00128]Ｓ−ＡＰＳＤ動作モードは、ＳＴＡ１０６とＡＰ１０４がパケットの予定される配信時間について合意することを含み得る。合意された時間において、ＡＰ１０４は、ＳＴＡ１０６がアウェイクしているかどうかを確認するためにフレーム（たとえば、ＣＦ−Ａｃｋ）を送信することができる。ＳＴＡ１０６がアウェイクしている場合、ＡＰ１０４は、Ｕ−ＡＰＳＤ動作モードに関して上で説明されたようなサービス期間を開始することができる。
【００９６】
[00129]ＴＤＬＳピア省電力モードは、両方のＳＴＡがアウェイクしている予定された時間について合意した、１つまたは複数のＳＴＡを含み得る。データが交換される場合、ＳＴＡは、サービス期間が終了したことをデータが示すとき、スリープまたは一時休止に入り得る。
【００９７】
[00130]ＩＥＥＥ  ８０２．１１ａｈ  ＴＷＴ動作モードは、アップリンクデータ転送および／またはダウンリンクデータ転送のための周期的な時間枠についてＡＰ１０４と合意したＳＴＡ１０６を含み得る。ＳＴＡ１０６は、周期的な時間枠の外側でスリープまたは一時休止にあり得る。
【００９８】
[00131]上で説明された低電力状態は、超低電力状態とも呼ばれ得る。したがって、省電力超低電力（ＰＳ−ＵＬＰ）状態（たとえば、ＰＳ−ＵＬＰモード）では、ＳＴＡ１０６は、アウェイク状態、一時休止状態、または超低電力（ＵＬＰ）状態にあり得る（たとえば、低電力受信機および／または低電力ウェイクアップ受信機はオンされるが、ＲＦウェイクアップ回路、受信機２１２、ならびに任意の関連付けられるアナログ回路および／もしくはデジタル回路はオフされ得る）。本明細書で説明されるように、ＳＴＡ１０６はＰＳ−ＵＬＰ状態で動作していると仮定される。
【００９９】
[00132]ある実装形態では、ＰＳ−ＵＬＰモードでは、ＳＴＡ１０６は、一時休止状態からアウェイク状態に、アウェイク状態から一時休止状態に、一時休止状態からＵＬＰ状態に、ＵＬＰ状態からアウェイク状態に、ＵＬＰ状態から一時休止状態に、および／またはアウェイク状態からＵＬＰ状態に移行し得る。
【０１００】
[00133]ＳＴＡ１０６は、ＰＳポーリングまたはトリガフレームをＡＰ１０４に送信することによって、一時休止状態からアウェイク状態に移行したことをＡＰ１０４に示すことができる。ＰＳポーリングおよび／またはトリガフレームは、ＳＴＡ１０６がデータを受信する準備ができていることを示し得る。
【０１０１】
[00134]ＳＴＡ１０６は、ＳＴＡ１０６がスリープに入れることを示すメッセージをＡＰ１０４から受信すると、アウェイク状態から一時休止状態に移行することができる。たとえば、ＡＰ１０４は、追加のデータがＳＴＡ１０６に送信されないことを示すパラメータを送信することができ、および／または、サービス期間が終了したことを示すパラメータを送信することができる。ある実装形態では、ＡＰ１０４は、そのパラメータを送信すると、ＳＴＡ１０６が一時休止状態に移行したと見なすことができる。
【０１０２】
[00135]ある実装形態では、ＳＴＡ１０６およびＡＰ１０４は、ＳＴＡ１０６がＵＬＰ状態にあり得る時間期間（たとえば、ターゲットＵＬＰ時間（ＴＵＴ）またはターゲットウェイクアップ時間）について合意し得る。ＴＵＴまたはターゲットウェイクアップ時間の間、ＡＰ１０４は、１つまたは複数のＵＬＰメッセージをＳＴＡ１０６に送信することができる。いくつかの実装形態では、ＳＴＡ１０６は、タイミングパラメータをＡＰ１０４と交換することによって、（たとえば、そのウェイクアップ時間に基づいて）好ましい設定を示すことができる。
【０１０３】
[00136]ＴＵＴは、Ｓ−ＡＰＳＤ動作モードまたはＩＥＥＥ  ８０２．１１ａｈ  ＴＷＴ動作モードの状況ですでに合意されている時間に対して定義され得る。たとえば、Ｓ−ＡＰＳＤ動作モードまたはＩＥＥＥ  ８０２．１１ａｈ  ＴＷＴ動作モードの状況で合意された時間は、ＡＰ１０４がデータをＳＴＡ１０６に送信できるサービス期間（たとえば、ＳＴＡ１０６がアウェイク状態にある期間）を示し得る。いくつかの実装形態では、ＴＵＴは、サービス期間の前または後に来ることがある。他の実装形態では、ＴＵＴは、サービス期間と重複し得る。ＴＵＴおよびサービス期間は重複し得るが、ＡＰ１０４は、ＳＴＡ１０６がＴＵＴの期間はＵＬＰ状態にあると見なすことができる。
【０１０４】
[00137]ＡＰ１０４がＳＴＡ１０６に対して利用可能なＢＵを有する場合、ＡＰ１０４は、ＴＵＴの間にＵＬＰメッセージを送信することができる。いくつかの実装形態では、ＵＬＰメッセージは、ＳＴＡ１０６に向けられたユニキャスト送信を介して送信され得る。他の実装形態では、ＵＬＰメッセージは、ＳＴＡ１０６および他のＳＴＡに向けられたグループキャスト送信を介して送信され得る。ＵＬＰメッセージは、ＳＴＡ１０６を、次のサービス期間（たとえば、Ｓ−ＡＰＳＤ動作モード、ＩＥＥＥ  ８０２．１１ａｈ  ＴＷＴ動作モードなどの状況で合意されたサービス期間）の開始までにＵＬＰ状態からアウェイク状態へ移行させ得る。言い換えると、ＵＬＰメッセージはウェイクアップ信号として機能し得る。サービス期間と重複するＴＵＴの間にＵＬＰメッセージが受信される場合、ＳＴＡ１０６は直ちに、またはほぼ直ちに、アウェイク状態に移行することができる。
【０１０５】
[00138]いくつかの実装形態では、ＡＰ１０４は、サービス期間にデータパケットを送信する前にＳＴＡ１０６がアウェイク状態に移行していることを確実にすることができる。ある実装形態では、ＡＰ１０４は、フレームＱｏＳと、サービス期間が終了していないことを示すＣＦ−Ａｃｋとを送信し、ＳＴＡ１０６からの肯定応答を予期し得る。ＳＴＡ１０６は次いで、アウェイクにとどまり、データパケットがＡＰ１０４から受信されるのを待機することができる。別の実装形態では、ＡＰ１０４は、ＳＴＡ１０６がアウェイク状態にあることを示すための、ＰＳポーリングまたはトリガフレームをＳＴＡ１０６から受信することを予期し得る。たとえば、ＵＬＰメッセージはＴＩＭとして機能することができ、ＳＴＡ１０６は、当業者に知られている通常の省電力モードにおけるように動作することができる。
【０１０６】
[00139]他の実装形態では、ＡＰ１０４は、ＵＬＰメッセージが送信されてから所定の時間（たとえば、１０ｍｓ、１００ｍｓなど）後に開始するアウェイク状態にＳＴＡ１０６があると、見なすことができる。
【０１０７】
[00140]ＡＰ１０４がＳＴＡ１０６に対して利用可能なＢＵを有しない場合、ＡＰ１０４は依然として、ＴＵＴの間にＵＬＰメッセージを送信することができる。ＵＬＰメッセージは、ＳＴＡ１０６に対して利用可能なデータがないことを示し得る。ＵＬＰメッセージはまた、ＡＰ１０４およびＳＴＡ１０６が新たなＴＵＴおよび／またはサービス期間を予定できるように、同期を可能にし得る。ＵＬＰメッセージはまた、ＳＴＡ１０６がより早い時間に（たとえば、ＴＵＴの終了の前に）ＵＬＰ状態から一時休止状態へ移行することを可能にし得る。
【０１０８】
[00141]ＡＰ１０４がＴＵＴの間にＵＬＰメッセージを送信しない場合、ＳＴＡ１０６は、ＴＵＴが終了するまでＵＬＰ状態に残り得る。ＴＵＴが終了した後、ＳＴＡ１０６は一時休止状態に移行し得る。ＴＵＴがサービス期間と重複する場合、ＳＴＡ１０６は、ＴＵＴが終了した後でアウェイク状態に移行し得る。
【０１０９】
[00142]いくつかの実装形態では、ＳＴＡ１０６は、サービス期間が終了した後で、アウェイク状態から一時休止状態に移行し得る。他の実装形態では、ＳＴＡ１０６がアウェイク状態にないときには常にＵＬＰ状態にあることをＳＴＡ１０６が示す場合、ＳＴＡ１０６は、サービス期間が終了した後でアウェイク状態からＵＬＰ状態に移行し得る。
【０１１０】
[00143]他の実装形態では、ＳＴＡ１０６およびＡＰ１０４は、Ｓ−ＡＰＳＤ動作モードまたはＩＥＥＥ  ８０２．１１ａｈ  ＴＷＴ動作モードの状況などにおいて、所与の予定について合意することができ、ＳＴＡ１０６は、ＳＴＡ１０６が予定された時間の間にアクティブ状態にあるかＵＬＰモードにあるかを示すことができる。ＳＴＡ１０６がＵＬＰモードにある場合、ＡＰ１０４は上で説明されたように振る舞い得る（たとえば、ＡＰ１０４は、ＵＬＰメッセージの後でフレームＱｏＳとＣＦ−Ａｃｋとを送信し、ＳＴＡ１０６からの肯定応答を予期することができ、または、ＡＰ１０４は、ＳＴＡ１０６からのＰＳポーリングまたはトリガフレームを予期することができる）。
【０１１１】
[00144]図３Ａは、低電力ウェイクアップ信号３００ａの可能な構造を示す。ウェイクアップ信号３００ａは、符号化された信号を搬送する単相信号３０４ａであり得る。ウェイクアップ信号は、オンオフ変調、周波数偏移変調などを使用して送信され得る。たとえば、オンオフ変調と同様の何かを使用する場合、ウェイクアップ信号３００ａは、０および１として表されるシーケンスであり得る。ウェイクアップ回路２３０および低電力受信機２２８が０と１との特定のシーケンスを検出すると、ウェイクアップ回路２３０は送受信機２１４をオンすることをトリガし得る。ウェイクアップ回路２３０は、各々の可能な信号を検出しようと試みるために、複数の相関器を有し得る。
【０１１２】
[00145]図３Ｂは、低電力ウェイクアップ信号３００ｂの別の可能な構造を示す。低電力ウェイクアップ信号は２つの部分を含む。第１の部分３０２ｂは、「グローバル」シーケンス（ロバスト）、すなわち、「低電力ウェイクアッププリアンブル」のようなものを含む。これは、低電力信号３００ｂが到来していることを低電力受信機２２８が検出することを可能にし得る。第１の部分３０２ａに続く第２の部分３０４ｂは、符号化された情報を含む。符号化された情報は、ウェイクアップされるべきＳＴＡ１０６ｅの識別子または他の情報を示し得る。任意選択で、誤り検出のためのチェックサムを含む第３の部分３０６ｂがあり得る。第１の部分３０２ｂは、オンオフ変調、周波数偏移変調、または、タイミングと検出とを提供し得る他の変調されたプリアンブルシーケンスを使用して形成され得る。いくつかの実装形態では、第２の部分３０４ｂは、拡散／符号化され得るデータを含み得る。拡散／符号化は、ＳＴＡを送信し受信することによって合意され得る。
【０１１３】
[00146]加えて、低電力ウェイクアップ信号は、共存を規定する送信のシーケンスにおいて提供され得る。たとえば、新たな低電力ウェイクアップ信号の前の８０２．１１  ＯＦＤＭ  ＰＨＹプリアンブルのための新たなウェイクアップＰＰＤＵフォーマットのような、追加の「ウェイクアップＰＰＤＵフォーマット」プリアンブルが提供され得る。ＯＦＤＭ  ＰＨＹプリアンブルは、（ＳＩＧフィールドにおいて）ある継続時間を示すことができ、このことは、８０２．１１  ＳＴＡを、信号の継続時間と受信機のウェイクアップ時間の間待機させる。８０２．１１  ＳＴＡは、入来する通常のパケットがあると見なし得る。したがって、ペイロードの受信は失敗することがあるが、８０２．１１  ＳＴＡは、ＰＨＹプリアンブルにおいて示された時間、待機する。さらに、低電力ウェイクアップ信号は、通常のＰＰＤＵの継続時間と一致するように、最大で〜２０ｍｓのシグナリング継続時間を有するように提供され得る。加えて、チャネルにアクセスするための競合ベースの機構を他のデバイスが尊重することを確実にするために、Ｎｕｌｌパケット（ＳＴＡへのＱｏＳ  Ｎｕｌｌフレーム）が、ウェイクアップ時間（たとえば、低電力受信機ＳＴＡ１０６ｅの送受信機２１４がオンされる必要のある時間の期間）の間に送信され得る。加えて、同じＰＨＹプリアンブルによって保護される複数のウェイクアップ信号があり得る。加えて、ＰＨＹプリアンブルは、８０２．１１プリアンブルよりも狭い帯域幅を有し得る。
【０１１４】
[00147]図４は、媒体アクセス制御（ＭＡＣ）フレーム４００の例示的な構造を示す。示されるように、ＭＡＣフレーム４００は、フレーム制御（ｆｃ）フィールド４１０、継続時間／識別（ｄｕｒ）フィールド４２５、受信機アドレス（ａ１）フィールド４３０、送信機アドレス（ａ２）フィールド４３５、宛先アドレス（ａ３）フィールド４４０、シーケンス制御（ｓｃ）フィールド４４５、第４のアドレス（ａ４）フィールド４５０、サービス品質（ＱｏＳ）制御（ｑｃ）フィールド４５５、高スループット（ＨＴ）制御フィールド４６０、フレーム本体４６５、およびフレーム確認シーケンス（ＦＣＳ）フィールド４７０という、１１個の異なるフィールドを含む。フィールド４１０〜４６０は、ＭＡＣヘッダ４０２を構成する。各フィールドは、１つまたは複数のサブフィールドまたはフィールドからなり得る。たとえば、媒体アクセス制御ヘッダ４０２のフレーム制御フィールド４１０は、プロトコルバージョン、タイプフィールド、サブタイプフィールド、および、図６に関して以下で論じられる他のフィールドのような、複数のサブフィールドからなり得る。
【０１１５】
[00148]図５は、ＭＡＣヘッダ９０３の別の実装形態を示す。ＭＡＣヘッダ５０３は、ＱＯＳ制御フィールド４５５とＨＴ制御フィールド４６０とを含まないという点で、ＭＡＣヘッダ８０２と異なる。
【０１１６】
[00149]図６は、図４および図５にそれぞれ示されるＭＡＣヘッダ４０２および５０３のフレーム制御フィールド４１０および５１０の例示的な構造を示す。示されるように、フレーム制御フィールドは、プロトコルバージョンフィールド６１１と、タイプフィールド６１２と、サブタイプフィールド６１３と、Ｔｏ  ＤＳフィールド６１４と、ｆｒｏｍ  ＤＳフィールド６１５と、ｍｏｒｅ  フラグメントフィールド６１６と、再試行フィールド６１７と、電力管理フィールド６１８と、ｍｏｒｅデータフィールド６１９と、保護フレームフィールド６２０と、順序フィールド６２１とを含む。ＭＡＣフレーム５００のタイプは、タイプフィールド６１２とサブタイプフィールド６１３との組合せによって定義され得る。たとえば、管理フレームに対して、タイプフィールド６１２は００というバイナリ値を有し得る。サブタイプフィールド６１３は次いで、１６個の異なる管理フィールドのタイプを提供する４ビット値を伴う、管理フィールドのタイプを示し得る。別の例として、ＭＡＣフレーム５００のタイプは、０１というバイナリ値を伴うタイプフィールド６１２によって示される制御フレームであり得る。サブタイプフィールド６１３はさらに、ブロック肯定応答要求フレーム、ブロック肯定応答フレーム、ＰＳポーリングフレーム、送信要求（ＲＴＳ：request to send）フィールド、送信可（ＣＴＳ：clear to send）フィールドなどのような、異なるタイプの制御フィールドを示し得る。
【０１１７】
[00150]いくつかの場合では、異なる使用法／目的のために、新たなタイプおよびフォーマットのＭＡＣフレームを定義することが有利であり得る。たとえば、電力管理能力の増強に備えて、新たな管理フレームのタイプを定義することが有利であり得る。たとえば、新たな管理フレームのサブタイプは、ワイヤレスメッセージの電力管理インジケーションが受信機によってどのように解釈されるべきかを定義する、管理フレームを示し得る。ある実装形態では、新たな管理フレームは、第２の電力管理状態のインジケーションが第２または第３の電力管理状態を示すかどうかを定義し得る。たとえば、ある実装形態では、新たな管理フレームは、インジケーションがどのように解釈されるべきかを定義するデータを含み得る。ある実装形態では、データは拡張された能力要素に含まれ得る。代替的に、２つの新たな管理フレームが定義され得る。この実装形態では、第１の新たな管理フレームは、第２の電力管理状態を示すために電力管理インジケーションを定義し、一方、第２の新たな管理フレームは、第３の電力管理状態を示すために電力管理インジケーションを定義する。
【０１１８】
[00151]図７は、通信システムにおいてページングを確立するための処理７００の例を示す。いくつかの実装形態では、ＳＴＡは、一時休止またはアウェイクという、プライマリ受信機に対する２つの動作状態を伴う、省電力（ＰＳ）モードで動作させられる。ブロック７０２において、ＳＴＡは、ＳＴＡにおける第２の受信機（低電力受信機）への通信を利用する（非常に短い）ページングモード７０４をＡＰが有効にすることを求める要求を送信する。ブロック７０４において、ＡＰはページングを有効にする。ＳＴＡは、好ましい動作設定を示し得る。可能なページング機構は、管理フレーム、ＰＨＹプリアンブル、または同様の実装形態であり得る。
【０１１９】
[00152]ブロック７０６において、ページ送信を送信および／または受信するための１つまたは複数の時間が定義される。ＳＴＡがページを受信することが予想される時間は、周期的なターゲットビーコン通過時間（ＴＢＴＴ：Target Beacon Transit Times）と同様であってよく、またはそれからずれてよい。この時間は、ＳＴＡごとに異なり得る。いくつかの実装形態では、複数のＳＴＡは同じターゲット時間を割り当てられ得る。ビーコン送信と同様に、配信トラフィックインジケーションメッセージ（ＤＴＩＭ：Delivery Traffic Indication Message）、たとえばビーコン送信までの時間を考慮したもの（ＤＴＩＭ−ＴＵＢＴ）、またはＮ個のＴＵＢＴごとを考慮したものがあってよい。いくつかの実装形態では、これは、ブロードキャストＢＵまたはマルチキャストＢＵが利用可能であること、またはすべてのアクティブＳＴＡが競合を開始することをＡＰが望むことを示す、超低電力（ＵＬＰ）メッセージをＡＰが送信し得る場合である。
【０１２０】
[00153]ブロック７０８において、定義されたターゲット時間または時間範囲において、ＡＰはページをＳＴＡに送信することができる。ＳＴＡは、ブロック７１０に示されるような低電力受信機を使用して、ページを受信する。ＡＰは、ＳＴＡがページを送信するためにターゲットウェイクアップ時間にアウェイクしていると、見なすことができる。場合によっては、ＳＴＡは、完全なＷｉＦｉ受信機をオンにしなくてよい。代わりに、ＳＴＡは、ページングメッセージを受信するように設計される低電力受信機のみを有し得る。
【０１２１】
[00154]いくつかの実装形態では、低電力受信機はオンであり続ける。他の実装形態では、ＳＴＡは、ウェイクアップ時間と、ウォームアップと、クロック（またはタイミング）ドリフトとを見込んで、予想されるページを受信する時間の前に低電力受信機をオンする。ＡＰは、ＳＴＡがアクティブ状態にあるか一時休止状態にあるかを認識する必要がある。ＳＴＡがアクティブ状態にあるとき、ＡＰは、ＳＴＡの受信機の両方がアクティベートされている（「完全にアウェイクしている」）かどうか、または、低電力受信機のみがアウェイクしているかどうかを、認識していることもしていないこともある。いくつかの実装形態では、ＡＰは、信号と信号送信とを最適化するために、ＳＴＡ状態および特定の受信機のアクティベーションステータス（知られている場合）の知識を使用する。
【０１２２】
[00155]ＡＰがＳＴＡのためのＢＵを有する場合、いくつかの実装形態では、ＡＰは、実装形態に応じて、ユニキャスト、グループキャスト、またはマルチキャストによって、ターゲットウェイクアップ時間にページをＳＴＡに送信する。そのようなメッセージは、その時間にアクティブな、１つの、いくつかの、またはすべてのＳＴＡに向けられ得る。したがって、ＳＴＡ識別子はページに含まれ得る。いくつかの実装形態では、ページング信号はＴＩＭのセグメントであり得る。この場合、ＡＰはグループキャストを使用し得る。ＡＰは、グループキャストの時間にＴＩＭのこのセグメント上のＳＴＡが聴取モードにあること、または、それらのＳＴＡがグループキャストを受信するために聴取モードにあることを確実にするためにＳＴＡと別様に通信することを、要求することができる。したがって、各セグメントは、そのセグメント上のＳＴＡのための所定の時間に、ビーコンの外側で送信され得る。
【０１２３】
[00156]いくつかの実装形態では、ページが定義され、ＡＰおよびＳＴＡに知られている。限られた数のページのタイプと、それらのタイプに対するパラメータがあり得る。いくつかの実装形態では、ＡＰは、ターゲット時間に別のタイプのメッセージを送信しない。いくつかの実装形態では、ＳＴＡは、メッセージの可能性のあるセットを受信するように設計された低電力受信機を使用することができる。
【０１２４】
[00157]いくつかの実装形態およびいくつかの場合には、データがバッファリングされない場合でも、ＡＰはページを送信することができる。ページは、バッファリングされたデータがまったくないことを示し得る。このページは、同期のために使用されてよく、通信媒体、プロトコルの変化、ＴＢＴＴの変化、ＩＤの変化、または他の管理情報についての情報を有し得る。
【０１２５】
[00158]図８Ａ、図８Ｂ、および図９は、電力消費を減らすことによって電力を節約するための、ほぼ受動的な受信機のための処理の実装形態を示す。図８Ａを参照して、低電力受信機にウェイクアップページを送信して後続の送信のためにプライマリ受信機をアクティベートする、アクセスポイントによって行われる処理の例を示す。図８Ａの処理８００ａは、ＡＰ１０４のようなデバイスの処理を示す。前に説明されたように、ＳＴＡは、ウェイクアップ回路を一時休止状態またはアウェイク状態にする省電力スキームによって、電力消費を減らすように構成され得る。したがって、ＵＬＰ受信機は、周期的な間隔に従って、周期的にオフされ得る。その上、前に説明されたように、ＳＴＡおよびＡＰはターゲットウェイクアップ時間について合意する。したがって、ブロック８０２ａにおいて、ＡＰの処理回路またはプロセッサは、アクティベーション信号が受信されると予想されるターゲットウェイクアップ時間を示す第１の信号を送信するように構成され得る。これは、アクティベーション信号またはページが送信されるときにＳＴＡウェイクアップ回路がアウェイクすることになるのを確実にする。ターゲットウェイクアップ時間は、周期的な間隔に基づき得る。ブロック８０４ａにおいて、ＡＰは、ターゲットウェイクアップ時間にアクティベーション信号を送信する。アクティベーション信号はページであり得る。いくつかの実装形態では、ＳＴＡは、ページが受信されたことを示す肯定応答または通信を何らＡＰに提供しない。ブロック８０６ａにおいて、ＡＰは次いで、第２の信号、たとえば、ビーコンまたは、データをＳＴＡに伝達する別の信号を、ＳＴＡに送信する。
【０１２６】
[00159]図８Ｂは、低電力受信機に対してページを使用して１つまたは複数の後続の送信を受信するためにＳＴＡのプライマリ受信機をウェイクアップする、ワイヤレスデバイス（またはＳＴＡ）によって実行される処理８００ｂの例を示す。ブロック８０２ｂにおいて、ＳＴＡの処理回路は、アクティベーション信号が受信されると予想されるターゲットウェイクアップ時間を示す、ＳＴＡに送信された第１の信号を処理する。ブロック８０４ｂにおいて、ＳＴＡは、示されたターゲットウェイクアップ時間に基づいて第１の受信機をアウェイク状態に移行する。第１の受信機は、低電力受信機（たとえば、図２の低電力受信機２２８）であり得る。ブロック８０６ｂにおいて、ＳＴＡは、ターゲットウェイクアップ時間に、ＡＰから第１の受信機においてアクティベーション信号、たとえばページを受信する。第１の受信機は低電力受信機であり得る。図８Ａに従って説明されたように、アクティベーション信号、またはページ、送信時間は、ページが送信されるときにＳＴＡウェイクアップ回路がアウェイクすることを確実にするために、周期的な間隔に基づき得る。ブロック８０８ｂにおいて、第２の受信機は、アクティベーション信号に基づいてアウェイク状態に移行される。第２の受信機はプライマリ受信機であり得る。ブロック８１０ｂにおいて、ＳＴＡは、そのプライマリ受信機（たとえば、図２の受信機２１２）を使用して第２の信号を受信する。信号は、ビーコン、またはＳＴＡにデータを伝達する別の信号であり得る。
【０１２７】
[00160]図９は、低電力受信機に対してウェイクアップページを使用して後続の送信のためにプライマリ受信機をアクティベートする、ワイヤレス通信の実装形態のシーケンス図の例を示す。具体的には、シーケンス９００は、ＡＰ１０４とＳＴＡ２０２との間のインタラクションを示す。いくつかの実装形態では、ＡＰ１０４は、ターゲットウェイクアップ時間のインジケーションを送信することができる。ＡＰ１０４は、ターゲットウェイクアップ時間に従って、アクティベーションページまたはウェイクアップページを送信する。ＳＴＡは、低電力受信機２２８でこのページを受信する。ＳＴＡは、ページを受信したことに基づいて、プライマリ受信機２１２をアクティベートする（「トリガする」）。ＳＴＡは次いで、プライマリ受信機２１２を使用して、１つまたは複数の信号、たとえば、ＡＰ１０４によって送信されるビーコンまたはＢＵを受信する。ＳＴＡは、ＰＳモードまたはＵ−ＡＰＳＤのような通常の省電力モードにあり得る。
【０１２８】
[00161]図１０Ａ、図１０Ｂ、および図１１は、電力消費を節約するための、受信機の他の処理の実装形態を示す。図１０Ａは、ＡＰのような送信デバイスによって行われ得る処理１０００ａを示す。図１０Ｂは、ＳＴＡのような受信デバイスによって行われ得る処理１０００ｂを示す。図１１は、送信（transmitting）（または送信（sending））デバイスと受信デバイスとの間のインタラクションのシーケンス１１００を示す。前に説明されたように、ＳＴＡは、ウェイクアップ回路を一時休止状態またはアウェイク状態にする省電力スキームによって、電力消費を減らすように構成され得る。したがって、ＵＬＰ受信機は、周期的な間隔に従って、周期的にオフされ得る。その上、前に説明されたように、ＳＴＡおよびＡＰはターゲットウェイクアップ時間について合意する。図１０Ａと図１０Ｂとを参照すると、ブロック１００２ｂにおいて、ＳＴＡの処理回路は、ＳＴＡに送信される第１の信号を処理し、第１の信号は、アクティベーション信号が受信されると予想されるターゲットウェイクアップ時間を示す。ブロック１００２ａにおいて、ＡＰは、アクティベーション信号が受信されると予想されるターゲットウェイクアップ時間を示す第１の信号を送信する。これは、アクティベーション信号またはページが送信されるときにＳＴＡウェイクアップ回路がアウェイクすることを確実にする。ターゲットウェイクアップ時間は、周期的な間隔に基づき得る。ブロック１００４ｂにおいて、ＳＴＡは、示されたターゲットウェイクアップ時間に基づいて第１の受信機をアウェイク状態に移行する。第１の受信機は、低電力受信機（たとえば、図２の低電力受信機２２８）であり得る。ブロック１００４ａにおいて、ＡＰは、ターゲットウェイクアップ時間にアクティベーション信号を送信する。アクティベーション信号はページであり得る。ブロック１００６ｂにおいて、ＳＴＡは、ターゲットウェイクアップ時間にこのアクティベーション信号を受信する。アクティベーション信号、またはページ、送信時間は、ページが送信されるときにＳＴＡウェイクアップ回路がアウェイクすることを確実にするために、周期的な間隔に基づき得る。ブロック１００６ｂにおいて、ＳＴＡは、ターゲットウェイクアップ時間にアクティベーション信号を受信する。ページの受信に基づいて、ＳＴＡはアウェイクし、ブロック１００８ｂにおいて、アクティベーション信号またはページを受信したという肯定応答を送信する。ブロック１０１０ｂにおいて、第２の受信機は、アクティベーション信号に基づいてアウェイク状態に移行される。第２の受信機はプライマリ受信機であり得る。これは、ＳＴＡがウェイクアップ状態に変化する場合、様々な時に行われ得る。たとえば、プライマリ受信機は、ＳＴＡ送信機をアクティベートするより前に、もしくはそれと同じ時にアクティベートされてよく、または、それは、送信機をアクティベートした後、および／もしくは肯定応答を送信した後に行われてよい。ブロック１００８ａにおいて、処理１０００ａは、第２の信号、たとえば、ビーコンまたは別のタイプの情報をＳＴＡに送信する。ブロック１０１０ｂにおいて、第２の信号、たとえばビーコンまたは他の情報が、ＳＴＡのプライマリ���信機によって受信される。
【０１２９】
[00162]図１１は、処理１０００ａおよび１０００ｂの例をシーケンス図で示す。図１１において、いくつかの実装形態では、ＡＰ１０４は、ターゲットウェイクアップ時間のインジケーションを送信することができる。ＡＰ１０４は、ＳＴＡ２０２の低電力受信機２２８によって受信されるウェイクアップページを送信する。ウェイクアップページの受信に基づいて、ＳＴＡ２０２は、プライマリ受信機２１２と送信機２１０とをアクティベートすることを含めて、一時休止状態からアクティブ状態に移行する。送信機２１０は、ページの受信をアクセスポイント１０４に肯定応答する、肯定応答信号を送信する。この実装形態では、肯定応答を受信した後で、ＡＰ１０４は、ビーコンおよび／または他の情報（たとえば、ＢＵ）をＳＴＡ２０２に送信することができる。ＳＴＡは次いで、ＰＳモードまたはＵ−ＡＰＳＤのような通常の省電力モードに従い得る。
【０１３０】
[00163]図１２Ａ、図１２Ｂ、および図１３は、電力消費を節約するための、ほぼ受動的な受信機の別の可能な実装形態を示す。図１２Ａは、デバイス、たとえばＡＰ１０４の処理１２００ａを示す。図１２Ｂは、デバイス、たとえばＳＴＡ１０６の処理１２００ｂを示す。図１３は、シーケンス１３００が送信デバイスＡＰ１０４と受信デバイス（ワイヤレスデバイス）ＳＴＡ２０２との間のインタラクションを示すことを示している。前に説明されたように、ＳＴＡは、ウェイクアップ回路を一時休止状態またはアウェイク状態にする省電力スキームによって、電力消費を減らすように構成され得る。したがって、ＵＬＰ受信機は、周期的な間隔に従って、周期的にオフされ得る。その上、前に説明されたように、ＳＴＡおよびＡＰはターゲットウェイクアップ時間について合意する。図１２Ａを参照すると、ブロック１２０２ａにおいて、ＡＰは、アクティベーション信号が受信されると予想されるターゲットウェイクアップ時間を示す第１の信号を送信する。これは、アクティベーション信号またはページが送信されるときにＳＴＡウェイクアップ回路がアウェイクすることを確実にする。ターゲットウェイクアップ時間は、周期的な間隔に基づき得る。ブロック１２０２ｂにおいて、ＳＴＡの処理回路は、ＳＴＡに送信される第１の信号を処理し、第１の信号は、アクティベーション信号が受信されると予想されるターゲットウェイクアップ時間を示す。ブロック１２０４ｂにおいて、ＳＴＡは、示されたターゲットウェイクアップ時間に基づいて第１の受信機をアウェイク状態に移行する。第１の受信機は、低電力受信機（たとえば、図２の低電力受信機２２８）であり得る。ブロック１２０４ａにおいて、ＡＰは、ターゲットウェイクアップ時間にアクティベーションページまたはウェイクアップページを送信する。ブロック１２０６ｂにおいて、ＳＴＡは、ターゲットウェイクアップ時間にこのアクティベーション信号を受信する。アクティベーション信号、またはページ、送信時間は、ページが送信されるときにＳＴＡウェイクアップ回路がアウェイクすることを確実にするために、周期的な間隔に基づき得る。ブロック１２０８ｂにおいて、ＳＴＡは、（一時休止状態にある場合）アクティブ状態に移行し、ＳＴＡがアウェイクしていることを示すＰＳポーリングフレームをＡＰに送信し、ダウンリンクデータについてポーリングすることができる。ＳＴＡがアクティブ状態になる場合、ＳＴＡは、ブロック１２１０ｂにおいて、アクティベーション信号に基づいて第２の受信機をアウェイク状態に移行する。第２の受信機はプライマリ受信機であり得る。ブロック１２０６ａにおいて、ＡＰはＰＳポーリングフレームを受信する。ブロック１２０８ａにおいて、ＡＰは、第２の信号、たとえばビーコンを、次のビーコン時間において局に送信する。ブロック１２１２ｂにおいて、第２の信号、たとえばビーコンまたは他の情報が、ＳＴＡのプライマリ受信機によって受信される。シーケンス１３００は、この実装形態のためのこの一連のトランザクションを示す。ＳＴＡは次いで、ＰＳモードまたはＵ−ＡＰＳＤのような通常の省電力モードに従い得る。
【０１３１】
[00164]図１４Ａ、図１４Ｂ、および図１５は、電力消費を節約するための、ほぼ受動的な受信機の別の可能な実装形態を示す。図１４Ａは、送信デバイス、たとえばＡＰ１０４の処理１４００ａを示す。図１４Ｂは、受信デバイス、たとえばワイヤレスデバイスＳＴＡ１０６の処理１４００ｂを示す。図１５は、送信デバイスと受信デバイスとの間のインタラクションのシーケンス１５００を示す。前に説明されたように、ＳＴＡは、ウェイクアップ回路を一時休止状態またはアウェイク状態にする省電力スキームによって、電力消費を減らすように構成され得る。したがって、ＵＬＰ受信機は、周期的な間隔に従って、周期的にオフされ得る。その上、前に説明されたように、ＳＴＡおよびＡＰはターゲットウェイクアップ時間について合意する。図１４Ａと図１４Ｂの両方のブロックが、以下では処理１４００ａと１４００ｂとを説明する際に参照される。ブロック１４０２ａにおいて、ＡＰは、アクティベーション信号が受信されると予想されるターゲットウェイクアップ時間を示す第１の信号を送信する。これは、アクティベーション信号またはページが送信されるときにＳＴＡウェイクアップ回路がアウェイクすることを確実にする。いくつかの実装形態では、ブロック１４０２ｂにおいて、ＳＴＡの処理回路は、ＳＴＡに送信される第１の信号を処理し、第１の信号は、アクティベーション信号が受信されると予想されるターゲットウェイクアップ時間を示す。ターゲットウェイクアップ時間は、周期的な間隔に基づき得る。ブロック１４０４ｂにおいて、ＳＴＡは、示されたターゲットウェイクアップ時間に基づいて第１の受信機をアクティブ状態に移行する。第１の受信機は、低電力受信機（たとえば、図２の低電力受信機２２８）であり得る。ブロック１４０４ａにおいて、ＡＰは、ターゲットウェイクアップ時間にアクティベーションページまたはウェイクアップページを送信する。アクティベーション信号、またはページ、送信時間は、ページが送信されるときにＳＴＡウェイクアップ回路がアウェイクすることを確実にするために、周期的な間隔に基づき得る。ブロック１４０６ｂにおいて、ＳＴＡは、ターゲットウェイクアップ時間にこのアクティベーション信号またはページを受信する。ブロック１４０８ｂにおいて、ＳＴＡは、ＳＴＡがある遅延の後でアウェイクすることをＡＰに示す、ＰＳポーリングフレームをＡＰに送信する。ブロック１４０８ｂにおいて、ＳＴＡは、ダウンリンクデータについてポーリングすることができる。ブロック１４１０ｂにおいて、ＳＴＡは、アクティベーション信号に基づいて第２の受信機をアウェイク状態に移行する。ブロック１４０６ａにおいて、ＡＰはＰＳポーリングフレームを受信する。送信するデータがある場合、今やＳＴＡがアウェイクすることを知っているので、ＡＰはデータをＳＴＡに送信し、ＳＴＡはＡＰからデータを受信する。ブロック１４０８ａにおいて、ＡＰは、第２の信号、たとえばビーコンを（次の通常の周期的なビーコン時間において）送信する。ブロック１４１２ｂにおいて、第２の信号、たとえばビーコンまたは他の情報が、ＳＴＡのプライマリ受信機によって受信される。
【０１３２】
[00165]図１５の概略的なシーケンス１５００はさらに、そのようなインタラクションの例を示す。図１５において、ＡＰ１０４は、ターゲットウェイクアップ時間のインジケーションを送信することができる。ＡＰ１０４は、ＳＴＡ２０２の低電力受信機２２８によって受信されるウェイクアップページを送信する。ウェイクアップページは、ある遅延（望まれる場合、たとえば、ウェイクアップページで示されるような）の後に低電力受信機（または低電力受信機に結合された、もしくはそれを備える低電力回路）がプライマリ受信機２１２をアウェイクできることを示す情報を含み得る。ワイヤレスデバイスは、送信機２１０もウェイクアップする。送信機２１０はポーリングメッセージを送信し、アクセスポイント１０４はその後にデータをＳＴＡ（たとえば、ＢＵ）に提供する。また、プライマリ受信機２１２はここで、ＡＰ１０４によって提供されるビーコンも受信する。アウェイクすると、ＳＴＡは省電力モードで動作させられ得る。
【０１３３】
[00166]いくつかの実装形態では、ＡＰは、ＳＴＡがアウェイクしていると見なし、時間Ｔの後でパケット（データもしくはアウェイクしていることの確認、または管理フレームもしくは制御フレーム）を送信し、ＴはＳＴＡに固有であり、ＡＰは関連付け時間または管理フレームからＴを認識している。
【０１３４】
[00167]いくつかの実装形態では、ページングメッセージは、プライマリ受信機をウェイクする前とウェイクした後のいずれかにＳＴＡが実行する必要のある命令を含み得る。ページは、タイムスタンプ、部分的なタイムスタンプ、ＡＩＤの変化、ページスロットの変化、媒体のステータス、または、ＡＰおよびＳＴＡのようなデバイスを含むワイヤレスシステムに対して定義される他のパラメータのような、パラメータを含み得る。
【０１３５】
[00168]図１６Ａ、図６Ｂ、および図１７は、電力消費を節約するための、ほぼ受動的な受信機の可能な実装形態を示す。図１６Ａは、送信デバイス、たとえばＡＰ１０４の処理１６００ａを示す。図１６Ｂは、デバイス、たとえばＳＴＡ１０６の処理１６００ｂを示す。図１７は、送信デバイスと受信デバイスとの間のインタラクションのシーケンス１７００を示す。この例では、ブロック１６０２ａにおいて、ＡＰは、デアクティベーションページまたは一時休止ページを送信する。ＳＴＡは、ブロック１６０２ｂにおいてこのページを受信し、ブロック１６０４ｂにおいてプライマリ受信機をデアクティベートする。プライマリ受信機は、一時休止状態にあるとき、再アクティベートされない限りビーコンまたは他の送信を受信しない。シーケンス１７００は、後続のウェイクアップページがプライマリ受信機の再アクティベーションをトリガする例によって、これらのインタラクションを示す。
【０１３６】
[00169]図１８は、ページがウェイクアップページでも一時休止ページでもない実装形態の一連のトランザクションを示す。この場合、ＡＰ１０４は、ワイヤレスデバイスＳＴＡ２０２の低電力受信機２２８によって受信される同期ページを送信する。この同期は、プライマリ受信機２１２またはＳＴＡの他のコンポーネント（示されない）とのタイミングを同期するために使用され得る。
【０１３７】
[00170]図１９は、ＡＰがセンサをグループ化し、各グループに対するビーコンおよびＴＩＭより前の別々の時間に各サブセットに対するウェイクアップページを送信する、例示的な省電力の実装形態を示す。この実装形態では、ＡＰはウェイクアップページを各グループへ順番に送信することができる。概略図１９００は、Ｇ１、Ｇ２、およびＧ３という３つのグループを伴う例を図示し、ウェイクアップページ１９０２、１９０４、および１９０６は各レイテンシ期間内の別々の時間に送信される。１９００において、タイムライン上に異なる電力管理状態が示され、１９４４はプライマリ受信機がアウェイク状態にあるときであり、１９４２はプライマリ受信機は一時休止状態にあるが低電力受信機はページアウェイク状態にあるときであり、１９４０は両方の受信機が一時休止状態にあるときである。ウェイクアップメッセージは、グループごとに定義されたトラフィック識別マップ（ＴＩＭ）に従い得る。送信は、ユニキャスト、グループキャスト、マルチキャスト、またはブロードキャストの機構を使用して送信され得る。この例では、ある固有のアドレスをウェイクアップするために、場合によってはより少数のビットが必要とされる。他の実装形態は、この手法よりも効率的に可能性のある使用媒体を有し、必要となることがあるものより多くのビーコンが送信され、いくつかの間隔は使用されないことがある。
【０１３８】
[00171]図２０は、ＡＰがセンサをグループ化し、所与の時間から始まってトラフィック識別マップ（ＴＩＭ）までウェイクアップページを送信する、例示的な省電力の実装形態を示す。図１９に示される手法とは異なり、すべてのＳＴＡが同じＴＩＭ間隔に従い得る。ビーコンおよびＴＩＭ時間フレームは通常、複数のグループに対して共通である。２０００の例は、ビーコンとＴＩＭ２０２０とに先行する第１のレイテンシ期間における、グループ１、２、および３に対するウェイクアップページ２００２、２００４、および２００６をそれぞれ示す。このパターンは通常、後続のレイテンシ期間において繰り返す。２０００において、タイムライン上に異なる電力管理状態が示され、２０４４はプライマリ受信機がアウェイク状態にあるときであり、２０４２はプライマリ受信機が一時休止状態にあるが低電力受信機がページアウェイク状態にあるときであり、２０４０は両方の受信機が一時休止状態にあるときである。いくつかの実装形態では、ＡＰはユニキャストウェイクアップページを使用する。これらの場合、ページのタイミングはビーコン間隔に影響を与え得る。この選択肢は、媒体のより効率的な使用という利点を有するが、多数のグループがある場合にはビーコンの前に多数の順次的なウェイクアップページがあり得る。
【０１３９】
[00172]図２１は、ＡＰがセンサをグループ化し、所与の時間から始まってトラフィック識別マップ（ＴＩＭ）までウェイクアップページを送信し、スリープページがウェイクアップ受信プロシージャを終了させる、例示的な省電力の実装形態を示す。図２１に示される実装形態は、図２０の実装形態の変形である。いくつかの実装形態では、ウェイクアップページ（図２１の例のような２１０２、２１０４、および２１０６）の後に、ウェイクアップページを受信するプロシージャを終了させるスリープパケットが続く。低電力受信機がスリープページ２１０８を受信すると、プライマリ受信機は、アウェイク状態２１４４に戻りビーコン２１２０を受信する時間になるまで、一時休止状態２１４０に移行し得る。いくつかの実装形態では、ウェイクアップページはビーコンよりも十分に前にある。
【０１４０】
[00173]図２２は、限られた数のウェイクアップメッセージが各ビーコンの前にある、別の可能な実装形態を示す。これは、図２０の選択肢と同様である。いくつかの実装形態では、最大でＫ個のウェイクアップページがある（第１のレイテンシ期間において２２０２、２２０４、およびこの例で図示される次の期間に対して２２１２、２２１４）。ウェイクアップメッセージの数は通常、ページングされたＳＴＡの数と、ウェイクアップメッセージ中の利用可能なビットの数とに依存する。ＡＰは、Ｋ個のウェイクメッセージを送信する。異なる実装形態では、ページングは、ユニキャスト、マルチキャスト、またはブロードキャストを使用して送信され得る。ＡＰは、送信方法の選択を最適化することができる。
【０１４１】
[00174]各ビーコン期間は、必要であればＴＩＭとともに開始する。ＴＩＭは通常、大きなグループに対して必要とされる。小さなグループに対しては、普通はＰＳポーリングで十分である。ユニキャスト送信はＴＩＭを必要としない。図２２は、ビーコン２２２２が送信される前の第１のレイテンシ期間中のウェイクアップページ２２０２と２２０４とを図示する。２２００において、タイムライン上に異なる電力管理状態が示され、２２４４はプライマリ受信機がアウェイク状態にあるときであり、２２４２はプライマリ受信機が一時休止状態にあるが低電力受信機がページアウェイク状態にあるときであり、２２４０は両方の受信機が一時休止状態にあるときである。
【０１４２】
[00175]図２３、図２４、および図２５は、通常の省電力モードの間に使用するスリープパケットを示し、このモードでは、ＳＴＡは低レイテンシの要件が原因でビーコンを聴取することが多いが、データは送信されない。スリープパケットを送信することによって、プライマリ受信機は、電力消費を減らすために、ビーコンが受信されないように一時休止状態に移行され得る。図２３は、低電力受信機がない場合に、ＢＵまたはＢＵのためのメッセージがあるかどうかにかかわらずプライマリ受信機がビーコン２３２０を受信するので、電力が節約されないことを示す。プライマリ受信機は、アクティブ状態２３４４に残る。図２４において、低電力受信機は、ページアウェイク状態２４４２の間にウェイクアップページ２４０２を受信し、プライマリ受信機は、ビーコンが受信されるアウェイク状態２４４４になると、ビーコン２４２０を受信する。図２５において、低電力受信機は、ページアウェイク状態２５４２にある間にスリープページ２５０８を受信し、スリープページに応答して、ＳＴＡは、低電力受信機を一時休止状態２５４４に移行し、ビーコンは受信されず、電力が節約される。
【０１４３】
[00176]図２６および図２７は、ＵＬＰビーコニングモード処理の例を示すフローチャートである。図２６は、例示的なＡＰ処理２６００を示す。ブロック２６０２において、ＡＰは、あるＳＴＡに対してＵＬＰビーコニングモードを有効にするための要求を、そのＳＴＡから受信する。ＳＴＡは、そのウェイクアップ時間に基づいて、好ましい設定を示し得る。
【０１４４】
[00177]ブロック２６０４において、ＡＰは、少なくとも１つのターゲットＵＬＰビーコン時間（ＴＵＢＴ）を定義する。ＴＵＢＴは、ＡＰによるＳＴＡへのＵＬＰウェイクアップメッセージ送信があり得るとき、少なくとも１つのＴＵＢＴを示す。ＴＵＢＴを定義し使用することに対するこの手法は、ターゲットビーコン通過時間（ＴＢＴＴ）を定義し使用するために使用される手法と同様である。ＴＵＢＴは、各ＳＴＡに対して異なり得る。いくつかの実装形態では、Ｎ個のＴＵＢＴごとに送信される配信トラフィックインジケーションメッセージ（ＤＴＩＭ）があってよく、ＡＰは、ブロードキャストまたはマルチキャストバッファユニット（ＢＵ）が利用可能であることを示すＵＬＰメッセージを送信することができる。いくつかの実装形態では、ＵＬＰメッセージビーコンのタイミング（ＴＵＢＴ）は、ビーコンタイミング（ＴＢＴＴ）に対して定義され得る。
【０１４５】
[00178]ブロック２６０６において、ＡＰがＵＬＰビーコン時間をＳＴＡに送信する。いくつかの実装形態では、ＡＰは、ＵＬＰ受信機がＴＵＢＴにおいてアウェイクしていると見なす。ブロック６０８において、ＡＰがＴＵＢＴにおいてＵＬＰメッセージをＳＴＡに送信する。いくつかの実装形態では、ＵＬＰメッセージはユニキャストで送信される。他の実装形態では、ＵＬＰメッセージは、同時に複数のＳＴＡに送信される。ＡＰは、同期を可能にするためにデータがＳＴＡのためにバッファリングされない場合でも、ＵＬＰメッセージを送信することができる。このＵＬＰメッセージは、バッファリングされるデータが何もないことを示し、同期と一時休止状態へのより早い移行とに備える。
【０１４６】
[00179]いくつかの実装形態では、ＡＰは、ＴＵＢＴに間に合うように、ＳＴＡが一時休止状態からＵＬＰ状態に移行すると見なす。いくつかの実装形態では、ＡＰは、ＳＴＡのためのデータがあるとき、ＴＢＴＴに間に合うように、ＳＴＡがＵＬＰ状態からアウェイク状態に移行すると見なす。いくつかの実装形態では、ウェイクアップ信号が送信されない場合、ＡＰは、ＳＴＡがＴＵＢＴの直後にＵＬＰ状態から一時休止状態に移行し、ＳＴＡが次のＴＵＢＴの時間になるまで一時休止状態にとどまると見なす。いくつかの実装形態では、一時休止状態にあるとき、ビーコンは受信されない。いくつかの実装形態では、アウェイク状態からＵＬＰ状態への移行は、アウェイクしていないときは常にＵＬＰモードにとどまるＳＴＡのみに対して発生する。
【０１４７】
[00180]図２７は、例示的なＳＴＡ処理２７００を示す。いくつかの実装形態では、ＳＴＡは、ＵＬＰ、一時休止、およびアウェイクという３つの動作状態を伴う、ＵＬＰ省電力モードで動作させられる。ブロック２７０２において、ＳＴＡは、ＡＰがＵＬＰビーコニングモードを有効にすることを求める要求を送信する。ＳＴＡは、そのウェイクアップ時間に基づいて、好ましい設定を示し得る。
【０１４８】
[00181]ブロック２７０４において、ＳＴＡはページ送信を送信および／または受信するための１つまたは複数の時間を受信するが定義される。ＳＴＡがページを受信することが予想される時間は、周期的なターゲットビーコン通過時間（ＴＢＴＴ）と同様であってよく、またはそれからずれてよい。この時間は、ＳＴＡごとに異なり得る。いくつかの実装形態では、複数のＳＴＡは同じターゲット時間を割り当てられ得る。ビーコン送信と同様に、配信トラフィックインジケーションメッセージ（ＤＴＩＭ）、たとえばビーコン送信までの時間を考慮したもの（ＤＴＩＭ−ＴＵＢＴ）、またはＮ個のＴＵＢＴごとを考慮したものがあってよい。いくつかの実装形態では、これは、ブロードキャストＢＵまたはマルチキャストＢＵが利用可能であること、またはすべてのアクティブなＳＴＡが競合を開始することをＡＰが望むことを示す、超低電力（ＵＬＰ）メッセージをＡＰが送信し得る場合である。
【０１４９】
[00182]ブロック２７０６において、ＳＴＡは、ＵＬＰ受信機回路の状態をアウェイクに移行し、各ＴＵＢＴに間に合うようにＵＬＰメッセージを受信する。定義されたターゲット時間または時間範囲において、ＡＰはＵＬＰメッセージをＳＴＡに送信することができる。ＳＴＡは、ブロック４０８に示されるようなＵＬＰ受信機を使用して、ページを受信する。ＡＰは、ＳＴＡがページを送信するためにターゲット時間にアウェイクしていると、見なすことができる。場合によっては、ＳＴＡは、完全なＷｉ−Ｆｉ（登録商標）受信機をオンにしなくてよい。代わりに、ＳＴＡは、ページングメッセージを受信するように設計される低電力受信機のみを有し得る。ブロック７０８において、かつ各ＴＵＢＴに間に合うように、ＳＴＡはＵＬＰメッセージをＡＰから受信する。
【０１５０】
[00183]いくつかの実装形態では、ＵＬＰ受信機はオンであり続ける。他の実装形態では、ＳＴＡは、ウェイクアップ時間と、ウォームアップと、クロック（またはタイミング）ドリフトとを見込んで、予想されるページを受信する時間の前に低電力受信機をオンする。ＡＰは、ＳＴＡの受信状態（ＳＴＡが完全受信状態か、アウェイク状態か、または一時休止状態もしくは他の低電力状態か）を認識している必要はない。他の実装形態では、ＡＰは、ＳＴＡの状態を認識していてよく、この情報を使用して信号と信号送信とを最適化することができる。
【０１５１】
[00184]ＡＰがＳＴＡのためのＢＵを有する場合、いくつかの実装形態では、ＡＰは、実装形態に応じて、ユニキャスト、グループキャスト、またはマルチキャストによって、ターゲット時間にページをＳＴＡに送信する。そのようなメッセージは、その時間にアクティブな、１つの、いくつかの、またはすべてのＳＴＡに向けられ得る。したがって、ＳＴＡ識別子はページに含まれ得る。
【０１５２】
[00185]いくつかの実装形態では、ＵＬＰメッセージが定義され、ＡＰおよびＳＴＡに知られている。限られた数のメッセージのタイプと、それらのタイプに対するパラメータがあり得る。いくつかの実装形態では、ＡＰは、ターゲット時間に別のタイプのメッセージを送信しない。いくつかの実装形態では、ＳＴＡは、メッセージの可能性のあるセットを受信するように設計された低電力受信機を使用することができる。
【０１５３】
[00186]いくつかの実装形態およびいくつかの場合には、データがバッファリングされない場合でも、ＡＰはＵＬＰメッセージを送信することができる。ページは、バッファリングされたデータがまったくないことを示し得る。このページは、同期のために使用されてよく、通信媒体、プロトコルの変化、ＴＢＴＴの変化、ＩＤの変化、または他の管理情報についての情報を有し得る。
【０１５４】
[00187]いくつかの実装形態では、ＳＴＡのプライマリ送受信機は、通常のビーコンを受信するのに間に合うように、各ＴＢＴＴまでにアクティブ状態に入る。ＳＴＡは次いで、通常のＰＳ／Ｕ−ＡＰＳＤモードに従い得る。
【０１５５】
[00188]図２８は、１つまたは複数のＳＴＡの間の通信を含むワイヤレス通信システム２８００を示す。図２８に示されるように、ワイヤレス通信システム２８００は、ＡＰ２８０４と、ＳＴＡ２８０６Ａと、ＳＴＡ２８０６Ｂとを含み得る。ある実施形態では、ＳＴＡ２８０６ＡおよびＳＴＡ２８０６Ｂは、ＡＰ２８０４と関連付けられ得る。さらなる実施形態では、ＳＴＡ２８０６ＡおよびＳＴＡ２８０６Ｂはそれぞれ、上で説明されたようなＵＬＰモードで動作していてよい。
【０１５６】
[00189]ある実施形態では、ＳＴＡ２８０６Ａは、データリンク２８４６を通じてメッセージをＡＰ２８０４に送信することによって、ＳＴＡ２８０６Ｂをウェイクアップすることができる。メッセージは、ＵＬＰメッセージをＳＴＡ２８０６Ｂに送信することを求める、ＡＰ２８０４に対する要求を含み得る。ＡＰ２８０４は、データリンク２８４８を介して、ＵＬＰメッセージをＳＴＡ２８０６Ｂに送信することができる。
【０１５７】
[00190]別の実施形態では、ＳＴＡ２８０６Ａは、たとえばデータリンク２８４２を介してＳＴＡ２８０６Ｂと直接通信することによって、ＳＴＡ２８０６Ｂをウェイクアップすることができる。たとえば、ＳＴＡ２８０６Ａは、データリンク２８４２を介して、ＵＬＰメッセージをＳＴＡ２８０６Ｂに直接送信することができる。
【０１５８】
[00191]いくつかの態様では、ＳＴＡ２８０６Ａは、ＳＴＡ２８０６ＢがＵＬＰモードにある時間を知っていてよい。ＳＴＡ２８０６Ｂは、データリンク２８４８を介して、ＵＬＰスケジュールをＡＰ２８０４に送信することができる。ＳＴＡ２８０６Ａは、データリンク２８４６を介して、ＳＴＡ２８０６ＢのＵＬＰスケジュールをＡＰ２８０４に要求することができる。要求に応答して、ＡＰ２８０４は、データリンク２８４６を介して、ＳＴＡ２８０６ＢのＵＬＰスケジュールをＳＴＡ２８０６Ａに送信することができる。したがって、ＳＴＡ２８０６Ａは、ＳＴＡ２８０６ＢがいつＵＬＰモードにあるかを知り、適切な時にデータリンク２８４２を介してＵＬＰメッセージを送信することができる。ＵＬＰメッセージが送信されると、ＳＴＡ２８０６Ａは、データリンク２８４２を介したＳＴＡ２８０６Ｂへのデータパケットの送信を引き続き行うことができる。例として、ＳＴＡ２８０６Ａは、データの送信のために、ＳＴＡ２８０６ＢとのＴＤＬＳ接続を確立することができる。
【０１５９】
[00192]本明細書で使用される「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中の探索）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用される「チャネル幅」は、いくつかの態様では帯域幅を包含することがあり、または帯域幅と呼ばれることもある。
【０１６０】
[00193]本明細書で使用される、項目のリスト「の少なくとも１つ」に言及する句は、単一のメンバーを含む、それらの項目の任意の組合せを指す。例として、「ａ、ｂまたはｃの少なくとも１つ」は、ａと、ｂと、ｃと、ａ−ｂと、ａ−ｃと、ｂ−ｃと、ａ−ｂ−ｃとを包含することが意図される。
【０１６１】
[00194]上で説明された方法の様々な動作は、（１つまたは複数の）様々なハードウェアおよび／またはソフトウェアコンポーネント、回路、および／または（１つまたは複数の）モジュールのような、動作を実行することが可能な任意の好適な手段によって実行され得る。一般に、図に示される任意の動作が、その動作を実行することが可能な対応する機能的手段によって実行され得る。
【０１６２】
[00195]本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェアコンポーネント、または、本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１６３】
[00196]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコードを搬送または記憶するために使用されコンピュータによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。加えて、いくつかの態様では、コンピュータ可読媒体は、一時的コンピュータ可読媒体（たとえば、信号）を備え得る。上記の組合せもコンピュータ可読媒体の範囲内に含まれるべきである。
【０１６４】
[00197]本明細書で開示される方法は、説明された方法を達成するための１つまたは複数のステップまたはアクションを備える。本方法のステップおよび／またはアクションは、特許請求の範囲から逸脱することなく互いに交換され得る。言い換えると、ステップまたはアクションの具体的な順序が規定されない限り、具体的なステップおよび／またはアクションの順序および／または使用は特許請求の範囲から逸脱することなく変更され得る。
【０１６５】
[00198]説明された機能は、ハードウェア、ソフトウェア、ファームウェアまたはそれらの任意の組合せで実装され得る。ソフトウェアで実装される場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態の所望のプログラムコードを搬送または記憶するために使用されコンピュータによってアクセスされ得る、任意の他の媒体を備え得る。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙディスク（disc）を含み、ディスク（disk）は、通常、データを磁気的に再生し、ディスク（disc）は、データをレーザーで光学的に再生する。
【０１６６】
[00199]したがって、いくつかの態様は、本明細書で提示される動作を実行するためのコンピュータプログラム製品を備え得る。たとえば、そのようなコンピュータプログラム製品は、本明細書で説明される動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１６７】
[00200]ソフトウェアまたは命令はまた、伝送媒体を通じて送信され得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、伝送媒体の定義に含まれる。
【０１６８】
[00201]さらに、本明細書で説明された方法および技法を実行するためのモジュールおよび／または他の適切な手段は、適宜ユーザ端末および／もしくは基地局によってダウンロードされ、および／または他の方法で取得され得ることを諒解されたい。たとえば、本明細書で説明される方法を実行するための手段の転送を容易にするために、そのようなデバイスがサーバに結合され得る。代替的に、本明細書で説明された様々な方法は、ユーザ端末および／または基地局が記憶手段をデバイスに結合し、または提供すると様々な方法を取得することができるように、記憶手段（たとえば、ＲＡＭ、ＲＯＭ、コンパクトディスク（ＣＤ）またはフロッピーディスクのような物理記憶媒体など）によって提供され得る。さらに、本明細書で説明される方法および技法をデバイスに提供するための任意の他の適切な技法が利用され得る。
【０１６９】
[00202]特許請求の範囲は、上で示された厳密な構成およびコンポーネントに限定されないことを理解されたい。上で説明された方法および装置の構成、動作および詳細において、特許請求の範囲から逸脱することなく、様々な改変、変更および変形が行われ得る。
【０１７０】
[00203]上記は本開示の態様を対象とするが、本開示の他の態様およびさらなる態様は、その基本的範囲から逸脱することなく考案されてよく、その範囲は以下の特許請求の範囲によって決定される。
以下に、本願出願の当初の特許請求の範囲に記載された発明を付記する。
［Ｃ１］
ワイヤレス通信のためのワイヤレス局であって、
前記局に送信される第１の信号を処理するように構成される処理回路と、ここにおいて、前記第１の信号は、アクティベーション信号が受信されると予想されるターゲットウェイクアップ時間を示す、
前記示されたターゲットウェイクアップ時間に基づいて、第１の受信機をアウェイク状態へ移行するように構成されるウェイクアップ回路と、ここにおいて、前記第１の受信機は、前記示されたターゲットウェイクアップ時間において前記アクティベーション信号を受信するように構成される、
第２の受信機と
を備え、前記第２の受信機は、
前記第１の受信機が前記アクティベーション信号を受信したことに基づいてアウェイク状態へ移行し、
前記アウェイク状態にある間に第２の信号を受信する
ように構成される、ワイヤレス局。
［Ｃ２］
前記ウェイクアップ回路は、規定された時間に前記第２の受信機を前記アウェイク状態へ移行するように構成される、Ｃ１に記載の局。
［Ｃ３］
前記規定された時間は、ビーコンを受信するために、次のターゲットビーコン通過時間に対応する、Ｃ２に記載の局。
［Ｃ４］
前記アクティベーション信号が受信されたという肯定応答を送信するように構成された送信機をさらに備える、Ｃ１に記載の局。
［Ｃ５］
前記局がアウェイクしておりダウンリンクデータを受信する準備ができていることを前記アクティベーション信号の送信者に通知するための、省電力ポーリングフレームを送信するように構成される送信機をさらに備える、Ｃ１に記載の局。
［Ｃ６］
前記規定された時間において、前記局がアウェイクしておりダウンリンクデータを受信する準備ができていることを前記アクティベーション信号の送信者に通知するための、省電力ポーリングフレームを送信するように構成される送信機をさらに備える、Ｃ３に記載の局。
［Ｃ７］
前記第１の受信機は、前記アウェイク状態にある前記第２の受信機と比較して、前記アウェイク状態においてより少ない電力を消費する、Ｃ１に記載の局。
［Ｃ８］
前記第１の受信機は、デアクティベート信号を受信するようにさらに構成され、前記第２の受信機は、前記デアクティベート信号に応答してデアクティベートするように構成される、Ｃ１に記載の局。
［Ｃ９］
ワイヤレス局によるワイヤレス通信のための方法であって、
前記局に送信される第１の信号を処理することと、ここにおいて、前記第１の信号は、アクティベーション信号が受信されると予想されるターゲットウェイクアップ時間を示す、
前記示されたターゲットウェイクアップ時間に基づいて第１の受信機をアウェイク状態に移行することと、
前記示されたターゲットウェイクアップ時間に前記第１の受信機によって前記アクティベーション信号を受信することと、
前記アクティベーション信号に基づいて第２の受信機をアウェイク状態に移行することと、
前記第２の受信機によって第２の信号を受信することと
を備える、方法。
［Ｃ１０］
前記第２の受信機を前記アウェイク状態に移行することは、規定された時間に発生する、Ｃ９に記載の方法。
［Ｃ１１］
前記規定された時間は、ビーコンを受信するために、次のターゲットビーコン通過時間に対応する、Ｃ１０に記載の方法。
［Ｃ１２］
前記アクティベーション信号は、受信されたという肯定応答を送信することをさらに備える、Ｃ９に記載の方法。
［Ｃ１３］
前記アクティベーション信号の送信者に省電力ポーリングフレームを送信することをさらに備える、Ｃ９に記載の方法。
［Ｃ１４］
前記規定された時間において、前記アクティベーション信号の送信者に省電力ポーリングフレームを送信することをさらに備える、Ｃ９に記載の方法。
［Ｃ１５］
前記第１の受信機は、前記アウェイク状態にある前記第２の受信機と比較して、前記アウェイク状態においてより少ない電力を消費する、Ｃ９に記載の方法。
［Ｃ１６］
前記第１の受信機によってデアクティベート信号を受信することと、
前記第２の受信機をデアクティベートすることと
をさらに備える、Ｃ９に記載の方法。
［Ｃ１７］
実行されると、ワイヤレス局に、
前記局に送信される第１の信号を処理することと、ここにおいて、前記第１の信号は、アクティベーション信号が受信されると予想されるターゲットウェイクアップ時間を示す、
前記示されたターゲットウェイクアップ時間に基づいて第１の受信機をアクティベートすることと、
前記示されたターゲットウェイクアップ時間に前記第１の受信機によって前記アクティベーション信号を受信することと、
前記アクティベーション信号に基づいて第２の受信機をアウェイク状態へ移行することと、
前記第２の受信機によって第２の信号を受信することと
を行わせるコードを備える、非一時的コンピュータ可読媒体。
［Ｃ１８］
前記第２の受信機を前記アウェイク状態に移行することは、規定された時間に発生する、Ｃ１７に記載の非一時的コンピュータ可読媒体。
［Ｃ１９］
前記規定された時間は、ビーコンを受信するために、次のターゲットビーコン通過時間に対応する、Ｃ１８に記載の非一時的コンピュータ可読媒体。
［Ｃ２０］
前記コードは、実行されると、前記局に、前記アクティベーション信号が受信されたという肯定応答を送信することを行わせる、Ｃ１７に記載の非一時的コンピュータ可読媒体。
［Ｃ２１］
前記コードは、実行されると、前記局に、前記アクティベーション信号の送信者へ省電力ポーリングフレームを送信することを行わせる、Ｃ１７に記載の非一時的コンピュータ可読媒体。
［Ｃ２２］
前記コードは、実行されると、前記局に、前記規定された時間において、前記アクティベーション信号の送信者へ省電力ポーリングフレームを送信することを行わせる、Ｃ１７に記載の非一時的コンピュータ可読媒体。
［Ｃ２３］
前記第１の受信機は、前記アウェイク状態にある前記第２の受信機と比較して、前記アウェイク状態においてより少ない電力を消費する、Ｃ１７に記載の非一時的コンピュータ可読媒体。
［Ｃ２４］
前記コードは、実行されると、前記第１の受信機に、デアクティベート信号を受信することと、前記デアクティベート信号に応答して前記第２の受信機をデアクティベートすることとを行わせる、Ｃ１７に記載の非一時的コンピュータ可読媒体。
［Ｃ２５］
ワイヤレス通信のためのワイヤレス局であって、
前記局に送信される第１の信号を処理するための手段と、ここにおいて、前記第１の信号は、アクティベーション信号が受信されると予想されるターゲットウェイクアップ時間を示す、
前記示されたターゲットウェイクアップ時間に基づいて第１の受信機をアウェイク状態に移行するための手段と、
前記示されたターゲットウェイクアップ時間に前記アクティベーション信号を受信するための手段と、
前記アクティベーション信号に基づいて第２の受信機をアウェイク状態に移行するための手段と、
前記第２の受信機が前記アウェイク状態にある間に第２の信号を受信するための手段と
を備える、ワイヤレス局。
［Ｃ２６］
前記アクティベーション信号を受信するための前記手段は、第１の受信機を備え、前記第２の信号を受信するための前記手段は、第２の受信機を備え、前記第１の信号を処理するための前記手段は、プロセッサを備える、Ｃ２５に記載の局。
［Ｃ２７］
前記第１の受信機は、前記アウェイク状態にある前記第２の受信機と比較して、前記アウェイク状態においてより少ない電力を消費する、Ｃ２６に記載の局。
［Ｃ２８］
前記第２の受信機を前記アウェイク状態に移行するための前記手段は、規定された時間に前記第２の受信機を前記アウェイク状態へ移行するように構成される、Ｃ２５に記載の局。
［Ｃ２９］
前記規定された時間は、ビーコンを受信するための次のターゲットビーコン通過時間に対応する、Ｃ２８に記載の局。
［Ｃ３０］
前記アクティベーション信号が受信されたという肯定応答を送信するための手段をさらに備える、Ｃ２５に記載の局。
【図１】
0006363086.tif 000002
【図２】
0006363086.tif 000003
【図３Ａ】
0006363086.tif 000004
【図３Ｂ】
0006363086.tif 000005
【図４】
0006363086.tif 000006
【図５】
0006363086.tif 000007
【図６】
0006363086.tif 000008
【図７】
0006363086.tif 000009
【図８Ａ】
0006363086.tif 000010
【図８Ｂ】
0006363086.tif 000011
【図９】
0006363086.tif 000012
【図１０Ａ】
0006363086.tif 000013
【図１０Ｂ】
0006363086.tif 000014
【図１１】
0006363086.tif 000015
【図１２Ａ】
0006363086.tif 000016
【図１２Ｂ】
0006363086.tif 000017
【図１３】
0006363086.tif 000018
【図１４Ａ】
0006363086.tif 000019
【図１４Ｂ】
0006363086.tif 000020
【図１５】
0006363086.tif 000021
【図１６Ａ】
0006363086.tif 000022
【図１６Ｂ】
0006363086.tif 000023
【図１７】
0006363086.tif 000024
【図１８】
0006363086.tif 000025
【図１９】
0006363086.tif 000026
【図２０】
0006363086.tif 000027
【図２１】
0006363086.tif 000028
【図２２】
0006363086.tif 000029
【図２３】
0006363086.tif 000030
【図２４】
0006363086.tif 000031
【図２５】
0006363086.tif 000032
【図２６】
0006363086.tif 000033
【図２７】
0006363086.tif 000034
【図２８】
0006363086.tif 000035